(57)【要約】 【課題】  コンテンツに関連するポップアップの詳細情報が要求されたとき、ポップアップの送信元に応じた詳細情報を提供することができる広告提供システムを提供する。【解決手段】  受信装置１０は、サービスサーバ２０から、コンテンツおよびポップアップデータを受信し、受信したポップアップデータが示すポップアップを、受信したコンテンツの再生に同期して表示する。表示したポップアップに応答して、リモコン１００による操作があると、ポップアップを送信する送信元を表す送信元識別情報を、広告主サーバ３０に送信する。広告主サーバ３０は、受信した送信元識別情報が示す送信元に応じた詳細情報を受信装置１０に送信する。受信装置１０は、送信した送信元識別情報に応答して送信された詳細情報を受信し、受信した詳細情報を、コンテンツと非同期に表示する。【選択図】      図１
2007233865.tif 000002
【特許請求の範囲】
【請求項１】
コンテンツに応じたポップアップを表すポップアップ情報をネットワークを通じて送信する広告提供装置と、
ポップアップ情報を送信した送信元を識別するための送信元識別情報をネットワークを通じて受信すると、受信した送信元識別情報が示す送信元に応じたポップアップの詳細情報を、ポップアップの詳細情報の送信を要求する要求元にネットワークを通じて送信する情報提供装置と、
コンテンツのポップアップ情報をネットワークを通じて広告提供装置から受信し、コンテンツを出力する際、広告提供装置から受信したポップアップ情報が示すポップアップを、出力されるコンテンツの予め定める出力時点に表示し、表示したポップアップに応答した操作があると、表示したポップアップの詳細情報を要求するための送信元識別情報をネットワークを通じて情報提供装置に送信し、さらに送信した送信元識別情報に応答して情報提供装置から送信されるポップアップの詳細情報をネットワークを通じて受信すると、受信したポップアップの詳細情報を、出力されるコンテンツと非同期に表示する広告表示装置とを含むことを特徴とする広告提供システム。
【請求項２】
コンテンツを表すコンテンツ情報およびポップアップを表すポップアップ情報を記憶する記憶手段と、
記憶手段に記憶されたコンテンツ情報が示すコンテンツを出力するコンテンツ出力手段と、
コンテンツ出力手段によって出力されるコンテンツの予め定める出力時点に、記憶手段に記憶されたポップアップ情報が示すポップアップを表示する表示手段と、
ポップアップを指定する指定手段と、
表示手段によって表示されたポップアップが指定手段によって指定されると、指定されたポップアップを送信する送信元を識別するための送信元識別情報を、ネットワークを通じてポップアップの詳細情報の送信元に送信する送信手段と、
送信手段によって送信された送信元識別情報が示す送信元に応じて、詳細情報の送信元から送信される詳細情報を、ネットワークを通じて受信する受信手段とを含み、
表示手段は、受信手段によって受信された詳細情報をコンテンツ出力手段によって出力されるコンテンツと非同期に表示することを特徴とする広告表示装置。
【請求項３】
コンテンツに応じたポップアップの詳細情報を記憶する記憶手段と、
ポップアップを送信する送信元を識別するための送信元識別情報をネットワークを通じて受信する受信手段と、
記憶手段に記憶された詳細情報のうち、受信手段によって受信された送信元識別情報が示す送信元に応じた詳細情報を、ポップアップの詳細情報の送信を要求する要求元にネットワークを通じて送信する送信手段とを含むことを特徴とする情報提供装置。
【請求項４】
ポップアップを送信する送信元を識別するための送信元識別情報とともに、視聴者を識別するための視聴者識別情報およびポップアップを識別するためのポップアップ識別情報を含む視聴者情報をネットワークを通じて受信する受信手段と、
コンテンツに応じたポップアップの詳細情報、ポップアップの予め定める組合せを表すパターン情報、および受信手段によって受信された視聴者情報を記憶する記憶手段と、
記憶手段に記憶された視聴者情報のうち、受信手段によって最後に受信された視聴者情報に含まれる視聴者識別情報と同じ視聴者識別情報を含む前記記憶された視聴者情報に含まれるポップアップ識別情報が示すポップアップからなる組合せが、記憶手段に記憶されたパターン情報が表すポップアップの予め定める組合せに含まれるポップアップのすべてを含むか否かを判断する判断手段と、
判断手段によって前記予め定める組合せに含まれるポップアップのすべてを含むと判断されると、記憶手段に記憶された詳細情報のうち第１の詳細情報を、または判断手段によって前記予め定める組合せに含まれるポップアップのいずれかを含まないと判断されると、記憶手段に記憶された詳細情報のうち第１の詳細情報とは異なる第２の詳細情報を、ポップアップの詳細情報の送信を要求する要求元にネットワークを通じて送信する送信手段とを含むことを特徴とする情報提供装置。
【請求項５】
前記記憶手段は、視聴者を識別するための視聴者識別情報および前記指定手段によって指定されたポップアップを識別するためのポップアップ識別情報を含む視聴者情報をさらに記憶し、
視聴者識別情報およびポップアップ識別情報のそれぞれの送信可否を指定する送信可否指定手段を含み、
前記送信手段は、送信元識別情報を送信する際、記憶手段に記憶された視聴者情報に含まれる視聴者識別情報およびポップアップ識別情報のうち、送信可否指定手段によって指定された送信可否が可である情報を送信することを特徴とする請求項２に記載の広告表示装置。
【請求項６】
前記記憶手段は、視聴者を識別するための視聴者識別情報および前記指定手段によって指定されたポップアップを識別するためのポップアップ識別情報を含む視聴者情報をさらに記憶し、
前記ポップアップ情報は、視聴者識別情報およびポップアップ識別情報のそれぞれの送信要否を表す送信要否情報を含み、
前記送信手段は、送信元識別情報を送信する際、記憶手段に記憶された視聴者情報に含まれる視聴者識別情報およびポップアップ識別情報のうち、そのポップアップ識別情報が示すポップアップのポップアップ情報に含まれる送信要否情報が送信要である情報を送信することを特徴とする請求項２に記載の広告表示装置。
【請求項７】
コンテンツに応じたポップアップを表すポップアップ情報を送信する広告提供装置からネットワークを通じて、コンテンツのポップアップ情報を受信し、コンテンツを広告表示装置に出力する際、受信したポップアップ情報が示すポップアップを、出力されるコンテンツの予め定める出力時点に広告表示装置に表示し、表示されたポップアップに応答した操作があると、表示されたポップアップを送信する送信元を識別するための送信元識別情報をネットワークを通じて情報提供装置に送信し、さらに送信した送信元識別情報が示す送信元に応じて情報提供装置から送信される詳細情報をネットワークを通じて受信すると、受信した詳細情報を、出力されるコンテンツと非同期に広告表示装置に表示することを特徴とする広告提供方法。
【請求項８】
コンピュータを請求項２に記載の広告表示装置の各手段として機能させるためのプログラム。
【発明の詳細な説明】
【技術分野】
【０００１】
本発明は、広告付きのコンテンツを提供する広告提供システム、広告表示装置、情報提供装置、広告提供方法およびプログラムに関する。
【背景技術】
【０００２】
地上デジタル放送あるいはＶＯＤ（Video On Demand）など、ＰＰＶ（Pay Per View）のサービスが普及しつつある。このＰＰＶのサービスは、有料のコンテンツを提供するものであり、より安価なコンテンツを提供するために、広告付きのコンテンツを提供するものがある。
【０００３】
広告付きのコンテンツを提供する第１の従来の技術として、映像と商品情報とを同期させて放送する商品の購入注文システムがある。この商品の購入注文システムでは、放送局は、映像の中の購入可能な商品の商品情報をデータ信号に変換して、映像信号および音声信号と同期させて受信端末に送出する。受信端末は、受信したデータ信号を商品情報に変換して、映像信号に同期させて表示する。視聴者は、リモコンを操作して所望の商品情報の閲覧および購入依頼を、受信装置に接続されたブラウズ機能を有する携帯電話を介して、情報センタと双方向通信を行う。情報センタは、商品情報の閲覧の要求に対して詳細情報を送信し、購入依頼があると商品情報提供者へ購入依頼を送る。すなわち、この商品の購入注文システムは、映像表示中に商品情報を表示し、携帯電話を介して商品の注文を行うものである（たとえば特許文献１参照）。
【０００４】
第２の従来の技術として、インタラクティブテレビの加入者管理システムと連動させたインタラクティブテレビ向け広告システムがある。このインタラクティブテレビ向け広告システムは、加入者管理システムが有する加入者の個人情報、たとえば年齢および家族構成などの情報を利用して加入者に提供する広告をカスタマイズし、広告の参照履歴に基づく分析結果、たとえば加入者の嗜好の分析結果を広告主に提供し、さらに広告参照回数を加入者管理システムに提供する。加入者管理システムは、インタラクティブテレビ向け広告システムから提供された広告参照回数によってインタラクティブテレビ利用料金の割引を行う（たとえば特許文献２参照）。広告は、インタラクティブテレビ向け広告システムつまり放送局から加入者に提供されるが、特許文献２には、放送によって送信される画像との関係および広告の提示方法については記載されていない。
【０００５】
第３の従来の技術として、広告メッセージをデジタルＴＶコンテンツと結合して出力するデジタルＴＶ（Television）受信機がある。このＴＶ受信機は、ネットワークから広告メッセージをダウンロードして貯蔵し、貯蔵している広告メッセージをバナー表示し終わるまでの間のみ、デジタルＴＶサービス提供者からビデオデータを受信して出力する。料金を支払うことなく、または通常の料金よりも割引された価格でデジタルＴＶコンテンツを受信することができる。広告メッセージは、ビデオデータと非同期にダウンロードされるが、ビデオデータの内容とも非同期で出力される（たとえば特許文献３参照）。
【０００６】
第４の従来の技術として、ＣＭ（Commercial Message）を視聴して商品を購入すると有料番組に対する視聴料を割引く番組放送装置がある。この番組放送装置は、有料番組を視聴する際に、視聴者にＣＭを視聴するか否かを選択させ、視聴者がＣＭ視聴を選択するとＣＭを放送し、視聴者がＣＭの商品を購入すると、割引いた視聴料を徴収する。さらに番組放送装置は、商品を購入した視聴者および商品のＣＭを放送した番組などの情報をスポンサに提供する。ＣＭ放送は、有料番組を放送する前、あるいは番組放送後に放送される。あるいは番組放送中は番組放送画面を停止し、つまり番組放送を停止してＣＭを放送し、画面の一部にＣＭを表示する（たとえば特許文献４参照）。
【０００７】
第５の従来の技術として、広告データが再生されるとコンテンツデータの料金を割引く情報処理システムがある。この情報処理システムでは、情報処理装置は、コンテンツデータに広告データを付加して配信し、情報処理端末がコンテンツデータ再生後広告データを再生すると、コンテンツデータの料金を割引く。広告データは、コンテンツデータと同期して配信されるが、広告データの再生は、コンテンツデータとは独立して再生される（たとえば特許文献５参照）。
【０００８】
第６の従来の技術として、商品の購入により発生したポイントによって、有料放送を無料あるいはポイント数に応じて割引かれた料金で視聴することができるポイント制電子商取引システムがある。このポイント制電子商取引システムでは、受注センタは、視聴者端末から広告商品を受注すると、広告商品に応じたポイント数を計算して視聴者端末に送信するとともに、そのポイント数と受注商品のスポンサ情報を放送センタに送信する。視聴者端末は、受信したポイント数に基づいて、有料放送の課金情報を減算して放送センタに送信する。放送センタは、受信した課金情報に基づいて視聴料請求書を発行する。番組、広告、および広告の商品属性情報は、放送センタで多重化されて放送、あるいは、番組は、広告および広告の商品属性情報と別チャンネルで放送される（たとえば特許文献６参照）。広告は、番組と同期して放送されるが、特許文献６には、番組の内容との関係および広告の提示方法については記載されていない。
【０００９】
第７の従来の技術として、視聴した広告の本数に応じてコンテンツの料金を割引するコンテンツ管理システムがある。このコンテンツ管理システムは、視聴者装置から視聴者が視聴可能な広告本数の情報を受領すると、有料番組コンテンツの視聴に対する課金額から視聴可能な広告本数に基づく割引額を差し引いて課金処理を行い、視聴者装置における広告本数分の広告コンテンツの視聴を監視する。規定時間内に広告が視聴されないと、強制的に広告を再生させる。視聴者が広告のカテゴリを登録しておくことによって、カテゴリに属する広告を視聴することができる。視聴者は、有料コンテンツを一時停止して、あるいは画面を分割して有料番組コンテンツと同時に、広告コンテンツを視聴することができる。有料コンテンツと広告コンテンツとは非同期で配信され、有料コンテンツの内容と広告コンテンツとは同期していない（たとえば特許文献７参照）。
【００１０】
第８の従来の技術として、画面をクリックすると広告サイトのホームページを表示する動画映像デジタル情報再生装置がある。この動画映像デジタル情報再生装置は、動画データおよび音声データとともに入力される広告映像位置情報に基づいて、広告サイトのホームページを表示する。広告映像位置情報は、動画映像の中の位置と広告サイトアドレスとを対応付けた情報である。動画映像デジタル情報再生装置は、利用者が動画映像をクリックすると、Ｗｅｂブラウザを起動して、クリックされた位置に対応する広告サイトにアクセスしてホームページを表示する。広告サイトの表示は、画面を分割して動画映像とともに表示、動画映像の再生を中断して広告サイトのみ表示、あるいは広告サイトの名称を画面に表示してインターネット接続を保留する表示方法があり、利用者は表示方法を変更することができる。音声表示マークを動画映像中に表示し、その音声表示マークをクリックすることによって、音声に対応する広告サイトのホームページを表示する。さらに、広告サイトの検索先および回数を記録しておいて、広告料を請求するためのリンク実績データを動画映像配信事業者に提供する（たとえば特許文献８参照）。
【００１１】
【特許文献１】特開２００２−２３２８６６号公報
【特許文献２】特開２００１−２４９９７号公報
【特許文献３】特開２００２−２３２８０８号公報
【特許文献４】特開２００２−３６９１７７号公報
【特許文献５】特開２００３−６５３０号公報
【特許文献６】特開２００３−１２２９８８号公報
【特許文献７】特開２００４−７０２６号公報
【特許文献８】特許第３５５５０８３号公報
【発明の開示】
【発明が解決しようとする課題】
【００１２】
しかしながら、第１の従来の技術は、商品の商品情報を映像信号に同期させて表示し、視聴者がリモコンを操作して所望の商品情報の閲覧を要求すると、商品の詳細情報を表示するものであり、商品情報の送信元に応じた商品の詳細情報を表示するものではない。第３の従来の技術は、複数の広告メッセージをダウンロードして貯蔵し、貯蔵している広告メッセージをバナー表示し終わるまでの間のみ、デジタルＴＶサービス提供者からデジタルＴＶコンテンツのビデオデータを受信して出力するものであり、コンテンツ送信元に応じた広告メッセージを表示するものではない。第４の従来の技術は、有料番組を視聴する際に、視聴者自身によって選択された広告を放送するものであり、番組放送元に応じた広告を放送するものではない。第５の従来の技術は、コンテンツデータ再生後、コンテンツデータとともに配信される広告データを再生すると、コンテンツデータの料金を割引くものであり、広告データ送信元に応じた広告データを配信するものではない。
【００１３】
さらに、第６の従来の技術は、広告商品の購入により発生したポイントによって、有料放送を無料あるいはポイント数に応じて割引かれた料金で視聴させるものであり、広告放送元に応じた広告を放送するものではない。第７の従来の技術は、視聴者が広告のカテゴリを登録しておくことによって、カテゴリに属する広告を視聴することができ、視聴した広告の本数に応じてコンテンツの料金を割引するものであるが、広告送信元に応じた広告コンテンツを視聴させるものではない。第８の従来の技術は、動画データが再生される画面をクリックすると、動画映像の中の位置と広告サイトアドレスとを対応付けた広告映像位置情報に基づいて、広告サイトのホームページを表示するものであり、広告サイトに応じたホームページを表示するものではない。第１および第３〜第８のいずれの従来の技術も、広告情報たとえばポップアップを送信する送信元に応じた詳細情報を表示することはできないという問題がある。
【００１４】
第２の従来の技術は、インタラクティブテレビの加入者管理システムが有する加入者の個人情報を利用して加入者に提供する広告をカスタマイズするが、広告はコンテンツに関連するものではないという問題がある。さらに広告をカスタマイズするためには、インタラクティブテレビの加入者の個人情報を利用しなければならない。
【００１５】
本発明の目的は、コンテンツに関連するポップアップの詳細情報が要求されたとき、ポップアップの送信元に応じた詳細情報を提供することができる広告提供システム、広告表示装置、情報提供装置、広告提供方法およびプログラムを提供することである。
【課題を解決するための手段】
【００１６】
本発明は、コンテンツに応じたポップアップを表すポップアップ情報をネットワークを通じて送信する広告提供装置と、
ポップアップ情報を送信した送信元を識別するための送信元識別情報をネットワークを通じて受信すると、受信した送信元識別情報が示す送信元に応じたポップアップの詳細情報を、ポップアップの詳細情報の送信を要求する要求元にネットワークを通じて送信する情報提供装置と、
コンテンツのポップアップ情報をネットワークを通じて広告提供装置から受信し、コンテンツを出力する際、広告提供装置から受信したポップアップ情報が示すポップアップを、出力されるコンテンツの予め定める出力時点に表示し、表示したポップアップに応答した操作があると、表示したポップアップの詳細情報を要求するための送信元識別情報をネットワークを通じて情報提供装置に送信し、さらに送信した送信元識別情報に応答して情報提供装置から送信されるポップアップの詳細情報をネットワークを通じて受信すると、受信したポップアップの詳細情報を、出力されるコンテンツと非同期に表示する広告表示装置とを含むことを特徴とする広告提供システムである。
【００１７】
本発明に従えば、広告提供装置によって、コンテンツに応じたポップアップを表すポップアップ情報がネットワークを通じて送信され、情報提供装置によって、ポップアップ情報を送信する送信元を識別するための送信元識別情報がネットワークを通じて受信されると、受信された送信元識別情報が示す要求元に応じたポップアップの詳細情報が、その受信された送信元識別情報が示す要求元にネットワークを通じて送信される。
【００１８】
さらに、広告表示装置によって、コンテンツのポップアップ情報がネットワークを通じて広告提供装置から受信され、コンテンツを出力する際、広告提供装置から受信されたポップアップ情報が示すポップアップが、出力されるコンテンツの予め定める出力時点に表示され、表示されたポップアップに応答した操作があると、表示されたポップアップの送信元識別情報がネットワークを通じて情報提供装置に送信され、さらに、送信された送信元識別情報に応答して情報提供装置から送信されるポップアップの詳細情報がネットワークを通じて受信されると、受信されたポップアップの詳細情報が、出力されるコンテンツと非同期に表示される。
【００１９】
このように、広告表示装置は、コンテンツのポップアップ情報を広告提供装置から受信し、コンテンツを出力する際、受信したポップアップ情報が示すポップアップを、出力されるコンテンツの予め定める出力時点に表示し、さらに表示されたポップアップに応答した操作があると、表示されたポップアップ情報を送信する送信元を識別するための送信元識別情報を情報提供装置に送信する。情報提供装置は、送信元識別情報を受信すると、送信元識別情報が示す送信元に応じた詳細情報を送信元に送信し、広告表示装置は、情報提供装置から送信された詳細情報を受信すると、受信した詳細情報を、出力されるコンテンツと非同期に表示するので、情報提供装置は、送信元識別情報たとえば商品の詳細情報を示すＷｅｂページの送信要求を受信した際、ポップアップ情報の送信元によって商品内容あるいは価格などのサービス内容を変更したＷｅｂページを送信し、広告表示装置に表示させることができる。すなわちコンテンツに関連する広告たとえばポップアップの詳細情報が要求されたとき、ポップアップの送信元に応じた詳細情報を提供することができる。
【００２０】
また本発明は、コンテンツを表すコンテンツ情報およびポップアップを表すポップアップ情報を記憶する記憶手段と、
記憶手段に記憶されたコンテンツ情報が示すコンテンツを出力するコンテンツ出力手段と、
コンテンツ出力手段によって出力されるコンテンツの予め定める出力時点に、記憶手段に記憶されたポップアップ情報が示すポップアップを表示する表示手段と、
ポップアップを指定する指定手段と、
表示手段によって表示されたポップアップが指定手段によって指定されると、指定されたポップアップを送信する送信元を識別するための送信元識別情報を、ネットワークを通じてポップアップの詳細情報の送信元に送信する送信手段と、
送信手段によって送信された送信元識別情報が示す送信元に応じて、詳細情報の送信元から送信される詳細情報を、ネットワークを通じて受信する受信手段とを含み、
表示手段は、受信手段によって受信された詳細情報をコンテンツ出力手段によって出力されるコンテンツと非同期に表示することを特徴とする広告表示装置である。
【００２１】
本発明に従えば、記憶手段によって、コンテンツを表すコンテンツ情報およびポップアップを表すポップアップ情報が記憶され、コンテンツ出力手段によって、記憶手段に記憶されたコンテンツ情報が示すコンテンツが出力され、表示手段によって、コンテンツ出力手段によって出力されるコンテンツの予め定める出力時点に、記憶手段に記憶されたポップアップ情報が示すポップアップが表示され、指定手段によって、ポップアップが指定される。
【００２２】
さらに、送信手段によって、表示手段によって表示されたポップアップが指定手段によって指定されると、指定されたポップアップを送信する送信元を識別するための送信元識別情報が、ネットワークを通じてポップアップの詳細情報の送信元に送信され、受信手段によって、送信手段によって送信された送信元識別情報が示すポップアップ情報の送信元に応じて、詳細情報の送信元から送信される詳細情報が、ネットワークを通じて受信されると、表示手段によって、受信手段によって受信された詳細情報がコンテンツ出力手段によって出力されるコンテンツと非同期にされる。
【００２３】
このように、コンテンツを表すコンテンツ情報およびポップアップを表すポップアップ情報を記憶手段に記憶しておき、出力されるコンテンツの予め定める出力時点に、記憶手段に記憶されたポップアップ情報が示すポップアップを表示し、さらに表示されたポップアップが指定手段によって指定されると、指定されたポップアップを送信する送信元を識別するための送信元識別情報を、ポップアップの詳細情報の送信元に送信し、送信したポップアップ情報の送信元識別情報が示す送信元に応じて、詳細情報の送信元から送信される詳細情報を受信すると、受信した詳細情報を、出力されるコンテンツと非同期に表示するので、送信元識別情報が示す送信元たとえば広告提供装置に応じて情報提供装置から送信される詳細情報を表示することができる。
【００２４】
また本発明は、コンテンツに応じたポップアップの詳細情報を記憶する記憶手段と、
ポップアップを送信する送信元を識別するための送信元識別情報をネットワークを通じて受信する受信手段と、
記憶手段に記憶された詳細情報のうち、受信手段によって受信された送信元識別情報が示す送信元に応じた詳細情報を、ポップアップの詳細情報の送信を要求する要求元にネットワークを通じて送信する送信手段とを含むことを特徴とする情報提供装置である。
【００２５】
本発明に従えば、記憶手段によって、コンテンツに応じたポップアップの詳細情報が記憶され、受信手段によって、ポップアップを送信する送信元を識別するための送信元識別情報がネットワークを通じて受信され、送信手段によって、記憶手段に記憶された詳細情報のうち、受信手段によって受信された送信元識別情報が示す送信元に応じた詳細情報が、ポップアップの詳細情報の要求元にネットワークを通じて送信される。
【００２６】
このように、ポップアップを送信する送信元を識別するための送信元識別情報を受信すると、記憶手段に記憶されたコンテンツに応じたポップアップの詳細情報のうち、受信した送信元識別情報が示す送信元に応じた詳細情報を、ポップアップの詳細情報の要求元に送信するので、送信元に応じた詳細情報を要求元たとえば広告表示装置に表示させることができる。
【００２７】
また本発明は、ポップアップを送信する送信元を識別するための送信元識別情報とともに、視聴者を識別するための視聴者識別情報およびポップアップを識別するためのポップアップ識別情報を含む視聴者情報をネットワークを通じて受信する受信手段と、
コンテンツに応じたポップアップの詳細情報、ポップアップの予め定める組合せを表すパターン情報、および受信手段によって受信された視聴者情報を記憶する記憶手段と、
記憶手段に記憶された視聴者情報のうち、受信手段によって最後に受信された視聴者情報に含まれる視聴者識別情報と同じ視聴者識別情報を含む前記記憶された視聴者情報に含まれるポップアップ識別情報が示すポップアップからなる組合せが、記憶手段に記憶されたパターン情報が表すポップアップの予め定める組合せに含まれるポップアップのすべてを含むか否かを判断する判断手段と、
判断手段によって前記予め定める組合せに含まれるポップアップのすべてを含むと判断されると、記憶手段に記憶された詳細情報のうち第１の詳細情報を、または判断手段によって前記予め定める組合せに含まれるポップアップのいずれかを含まないと判断されると、記憶手段に記憶された詳細情報のうち第１の詳細情報とは異なる第２の詳細情報を、ポップアップの詳細情報の送信を要求する要求元にネットワークを通じて送信する送信手段とを含むことを特徴とする情報提供装置である。
【００２８】
本発明に従えば、まず、受信手段によって、ポップアップを送信する送信元を識別するための送信元識別情報とともに、視聴者を識別するための視聴者識別情報およびポップアップを識別するためのポップアップ識別情報を含む視聴者情報がネットワークを通じて受信され、記憶手段によって、コンテンツに応じたポップアップの詳細情報、ポップアップの予め定める組合せを表すパターン情報、および受信手段によって受信された視聴者情報が記憶される。
【００２９】
次に、判断手段によって、記憶手段に記憶された視聴者情報のうち、受信手段によって最後に受信された視聴者情報に含まれる視聴者識別情報と同じ視聴者識別情報を含む前記記憶された視聴者情報に含まれるポップアップ識別情報が示すポップアップからなる組合せが、記憶手段に記憶されたパターン情報が表すポップアップの予め定める組合せに含まれるポップアップのすべてを含むか否かが判断される。
【００３０】
さらに、送信手段によって、判断手段によって前記予め定める組合せに含まれるポップアップのすべてを含むと判断されると、記憶手段に記憶された詳細情報のうち第１の詳細情報が、または判断手段によって前記予め定める組合せに含まれるポップアップのいずれかを含まないと判断されると、記憶手段に記憶された詳細情報のうち第１の詳細情報とは異なる第２の詳細情報が、ポップアップの詳細情報の要求元にネットワークを通じて送信される。
【００３１】
このように、ポップアップを送信する送信元を識別するための送信元識別情報とともに、視聴者を識別するための視聴者識別情報およびポップアップを識別するためのポップアップ識別情報を含む視聴者情報を受信すると、受信した視聴者情報を、コンテンツに応じたポップアップの詳細情報およびポップアップの予め定める組合せを表すパターン情報を記憶する記憶手段に記憶する。さらに、記憶手段に記憶された視聴者情報のうち、最後に受信された視聴者情報に含まれる視聴者識別情報と同じ視聴者識別情報を含む前記記憶された視聴者情報に含まれるポップアップ識別情報が示すポップアップからなる組合せが、パターン情報が示すポップアップの予め定める組合せに含まれるポップアップのすべてを含むか否かが判断され、予め定める組合せに含まれるポップアップのすべてを含むと判断されると、記憶手段に記憶された詳細情報のうち第１の詳細情報を、または予め定める組合せに含まれるポップアップのいずれかを含まないと判断されると、記憶手段に記憶された詳細情報のうち第１の詳細情報と異なる第２の詳細情報を、ポップアップの詳細情報の要求元に送信するので、視聴者が過去に参照したポップアップに応じた詳細情報をポップアップの詳細情報の要求元たとえば広告表示装置に表示させることができる。
【００３２】
また本発明は、前記記憶手段は、視聴者を識別するための視聴者識別情報および前記指定手段によって指定されたポップアップを識別するためのポップアップ識別情報を含む視聴者情報をさらに記憶し、
視聴者識別情報およびポップアップ識別情報のそれぞれの送信可否を指定する送信可否指定手段を含み、
前記送信手段は、送信元識別情報を送信する際、記憶手段に記憶された視聴者情報に含まれる視聴者識別情報およびポップアップ識別情報のうち、送信可否指定手段によって指定された送信可否が可である情報を送信することを特徴とする。
【００３３】
本発明に従えば、記憶手段によって、視聴者を識別するための視聴者識別情報および指定手段によって指定されたポップアップを識別するためのポップアップ識別情報を含む視聴者情報が記憶され、送信手段によって、送信元識別情報が送信される際、記憶手段に記憶された視聴者情報に含まれる視聴者識別情報およびポップアップ識別情報のうち、送信可否指定手段によって指定された送信可否が可である情報が送信されるので、広告表示装置から情報提供装置に送信される情報の送信可否を、視聴者情報に含まれる情報毎に指定することができる。
【００３４】
また本発明は、前記記憶手段は、視聴者を識別するための視聴者識別情報および前記指定手段によって指定されたポップアップを識別するためのポップアップ識別情報を含む視聴者情報をさらに記憶し、
前記ポップアップ情報は、視聴者識別情報およびポップアップ識別情報のそれぞれの送信要否を表す送信要否情報を含み、
前記送信手段は、送信元識別情報を送信する際、記憶手段に記憶された視聴者情報に含まれる視聴者識別情報、コンテンツ配信事業者識別情報、およびポップアップ識別情報のうち、そのポップアップ識別情報が示すポップアップのポップアップ情報に含まれる送信要否情報が送信要である情報を送信することを特徴とする。
【００３５】
本発明に従えば、記憶手段によって、視聴者を識別するための視聴者識別情報および指定手段によって指定されたポップアップを識別するためのポップアップ識別情報を含む視聴者情報が記憶され、送信手段によって、送信元識別情報が送信される際、記憶手段に記憶された視聴者情報に含まれる視聴者識別情報およびポップアップ識別情報のうち、そのポップアップ識別情報が示すポップアップのポップアップ情報に含まれる送信要否情報が送信要である情報が送信されるので、情報提供装置に送信される情報の送信要否を、視聴者情報に含まれる情報毎にかつポップアップ毎に、広告提供装置で設定することができる。
【００３６】
また本発明は、コンテンツに応じたポップアップを表すポップアップ情報を送信する広告提供装置からネットワークを通じて、コンテンツのポップアップ情報を受信し、コンテンツを広告表示装置に出力する際、受信したポップアップ情報が示すポップアップを、出力されるコンテンツの予め定める出力時点に広告表示装置に表示し、表示されたポップアップに応答した操作があると、表示されたポップアップを送信する送信元を識別するための送信元識別情報をネットワークを通じて情報提供装置に送信し、さらに送信した送信元識別情報が示す送信元に応じて情報提供装置から送信される詳細情報をネットワークを通じて受信すると、受信した詳細情報を、出力されるコンテンツと非同期に広告表示装置に表示することを特徴とする広告提供方法である。
【００３７】
本発明に従えば、まず、コンテンツに応じたポップアップを表すポップアップ情報を送信する広告提供装置からネットワークを通じて、コンテンツのポップアップ情報を受信し、コンテンツを広告表示装置に出力する際、受信したポップアップ情報が示すポップアップを、出力されるコンテンツの予め定める出力時点に広告表示装置に表示する。次に、表示されたポップアップに応答した操作があると、表示されたポップアップを送信する送信元を識別するための送信元識別情報を情報提供装置にネットワークを通じて送信し、さらに送信した送信元識別情報が示す送信元に応じて情報提供装置から送信される詳細情報を、ネットワークを通じて受信すると、受信した詳細情報を、出力されるコンテンツと非同期に広告表示装置に表示するので、コンテンツに関連する広告たとえばポップアップの詳細情報が要求されたとき、ポップアップの送信元に応じた詳細情報を提供することができる。
【００３８】
また本発明は、コンピュータを前記広告表示装置の各手段として機能させるためのプログラムである。
【００３９】
本発明に従えば、コンピュータを前記広告表示装置の各手段として機能させるためのプログラムとして提供することができる。
【発明の効果】
【００４０】
本発明によれば、コンテンツに関連する広告たとえばポップアップの詳細情報が要求されたとき、ポップアップの送信元に応じた詳細情報を提供することができるので、広告主は、送信元に応じて送信元であるコンテンツ配信事業者によって提供するサービスを変えることができる。
【００４１】
また本発明によれば、送信元識別情報が示す送信元に応じて情報提供装置から送信される詳細情報を表示することができるので、広告主は、ポップアップの送信元に応じてたとえば送信元であるコンテンツ配信事業者によって提供するサービスを変えることができる。
【００４２】
また本発明によれば、ポップアップの送信元に応じた詳細情報を広告表示装置に表示させることができるので、広告主は、送信元であるコンテンツ配信事業者によって提供するサービスを変えることができる。
【００４３】
また本発明によれば、視聴者が過去に参照したポップアップに応じた詳細情報を広告表示装置に表示させることができるので、広告主は、たとえばお得意様などのユーザが過去に参照したポップアップに応じた特別なサービスを提供することができる。
【００４４】
また本発明によれば、広告表示装置から情報提供装置に送信される情報の送信可否を、視聴者情報に含まれる情報毎に指定することができるので、ユーザは、広告主に開示したくない情報の送信を抑止することができる。
【００４５】
また本発明によれば、情報提供装置に送信される情報の送信要否を、視聴者情報に含まれる情報毎にかつポップアップ毎に、広告提供装置で設定することができるので、コンテンツ配信事業者は、広告主への提供を要しない情報の送信を抑止することができる。
【００４６】
また本発明によれば、コンテンツに関連する広告たとえばポップアップの詳細情報が要求されたとき、ポップアップの送信元に応じた詳細情報を提供することができるので、広告主は、送信元に応じてたとえば送信元であるコンテンツ配信業者によって提供するサービスを変えることができる。
【００４７】
また本発明によれば、コンピュータを前記広告表示装置の各手段として機能させるためのプログラムとして提供することができる。
【発明を実施するための最良の形態】
【００４８】
図１は、本発明の実施の一形態である広告提供システム１のブロック図である。広告提供システム１は、受信装置１０、サービスサーバ２０、および広告主サーバ３０を含み、受信装置１０、サービスサーバ２０、および広告主サーバ３０は、インターネット５０に接続される。
【００４９】
広告表示装置である受信装置１０は、サービスサーバ２０から、コンテンツおよびポップアップデータを取得して、コンテンツの出力およびポップアップつまり広告情報の表示を行う。受信装置１０に表示されたポップアップに対して、ユーザが、後述するリモコンによる操作を行うと、ポップアップデータに含まれるＵＲＬを基に、広告主サーバ３０のＷｅｂサーバ機能にアクセスして、商品情報のＷｅｂページつまり広告の詳細情報を表示する。コンテンツの購入は、受信装置１０からサービスサーバ２０に対して、たとえばクレジットカードの情報を送信することによって行われる。商品の購入は、受信装置１０から広告主サーバ３０に対して、たとえばクレジットカードの情報を送信することによって行われる。図１には、受信装置１０を１台しか示していないが、複数台の受信装置１０をインターネット５０に接続してもよい。
【００５０】
広告提供装置であるサービスサーバ２０は、一般的なサーバ機能を持つコンピュータによって構成され、受信装置１０に対して、コンテンツおよびポップアップデータを送信する。送信するコンテンツは、主に映像が使用され、たとえばＶＯＤサービスによって提供される。サービスサーバ２０は、ＶＯＤサービスを有料で行う場合、受信装置１０からコンテンツの購入の依頼があると、受信したクレジットカード情報を、専用回線Ａ６０を経由して与信サーバ４０に問い合わせることによって、課金を行う。
【００５１】
情報提供装置である広告主サーバ３０は、一般的なサーバ機能を持つコンピュータによって構成され、Ｗｅｂサーバ機能を含む。受信装置１０に対して、商品に関連するＷｅｂページを送信する。広告主サーバ３０は、商品の販売も行い、受信装置１０から商品の購入の依頼があると、受信したクレジットカード情報を、専用回線Ｂ６１を経由して与信サーバ４０に問い合わせることによって、課金を行う。
【００５２】
与信サーバ４０は、受信したクレジットカード情報によって、クレジットカードが有効であることを確認するサーバである。与信サーバ４０は、インターネット５０には接続されず、サービスサーバ２０および広告主サーバ３０と、それぞれ専用回線Ａ６０および専用回線Ｂ６１によって接続される。インターネット５０は、インターネットに限定されるものではなく、情報通信網であるネットワークであればよい。
【００５３】
図２は、図１に示した受信装置１０のブロック図である。受信装置１０は、インターネット５０に接続可能なＳＴＢ（Set Top Box）あるいはパーソナルコンピュータによって構成され、ネットワークインタフェース１１、ＣＰＵ（Central Processing Unit）１２、ビデオインタフェース１３、ワークメモリ１４、不揮発性メモリ１５、リモコン受信部１６、表示パネル１７、および図示しないリモコン１００を含む。
【００５４】
ネットワークインタフェース１１は、受信装置１０をインターネット５０などのネットワークに接続するためのインタフェース回路であり、たとえばイーサネット（登録商標）規格に適合するものである。ＣＰＵ１２は、不揮発性メモリ１５に記憶されたプログラムを実行することによって、受信装置１０の制御および演算を行う回路である。ビデオインタフェース１３は、映像の合成を行い、表示パネル１７に対して、映像の出力を行う。ワークメモリ１４は、ＣＰＵ１２における制御および演算において、一時的な記憶を行うメモリであり、たとえばＤＲＡＭ（Dynamic Random Access Memory）によって構成される。
【００５５】
不揮発性メモリ１５は、読み書き可能で、かつ電源が供給されなくてもデータが消去されないメモリ、たとえばフラッシュメモリあるいはＨＤＤ（Hard Disk Drive）によって構成され、プログラム記憶部１５ａ、ポップアップデータ記憶部１５ｂ、コンテンツ記憶部１５ｃ、および設定情報記憶部１５ｄを含む。プログラム記憶部１５ａは、コンテンツおよびポップアップデータを受信するプログラム、コンテンツの再生およびポップアップの表示を行うポップアップ表示プログラム、広告主のＷｅｂページなどを表示するＷｅｂブラウザのプログラムを記憶する。ポップアップデータ記憶部１５ｂは、サービスサーバ２０から受信した複数件のポップアップデータを記憶する。コンテンツ記憶部１５ｃは、サービスサーバ２０から受信したコンテンツを一時的に記憶する。設定情報記憶部１５ｄは、後述する設定画面で設定される情報を記憶する。
【００５６】
リモコン受信部１６は、後述するリモコン１００から発信される信号、たとえば赤外線の信号を受信する。表示パネル１７は、たとえば液晶パネルなどで構成され、ビデオインタフェース１３から出力される映像を表示する。表示パネル１７は、図２に示したように受信装置１０に組み込まれる構成でもよいが、外部装置として受信装置１０と独立した構成でもよい。表示パネル１７の解像度は、たとえば１３６６×７６８である。
【００５７】
図３は、図２に示した受信装置１０に含まれるリモコン１００の外観図である。リモコン１００は、受信装置１０が受信することができる信号、たとえば赤外線の信号を発信し、電源キー１０１、設定キー１０２、決定キー１０３、上下左右４方向に対応する４つのカーソルキー１０４、機能キー１０５、戻るキー１０６、文字種切り換えキー１０７、および文字入力キー１０８を含む。
【００５８】
電源キー１０１は、受信装置１０の電源の状態のＯＮとＯＦＦとを切り換える。設定キー１０２は、設定メニューの先頭画面の表示に使用する。決定キー１０３は、選択項目を決定する場合に使用する。上方向、下方向、左方向、および右方向への４つのカーソルキー１０４は、設定画面などで選択された箇所、たとえばフォーカスを移動させる。機能キー１０５は、機能メニューの表示に使用する。戻るキー１０６は、前の画面に戻る。文字種切り換えキー１０７は、文字入力のモードで入力することができる文字種を、数字、平仮名、片仮名、アルファベット大文字、あるいはアルファベット小文字に切り換える。文字入力キー１０８は、文字入力のモードで、文字を入力するために使用される０〜９のキーおよび濁点キーの合計１１個のキーで構成される。
【００５９】
文字種切り換えキー１０７の操作およびキーを押す回数によって、各文字入力キーで入力することができる文字が切り替わる。具体的には、数字モードの場合、キー表示通りの数字を入力することができる。平仮名モードの場合、それぞれキー「１」は、「あ」行、キー「２」は「か」行、キー「３」は「さ」行、キー「４」は「た」行、キー「５」は「な」行、キー「６」は「は」行、キー「７」は「ま」行、キー「８」は「や」行、キー「９」は「ら」行、およびキー「０」は「わ」行を入力する。片仮名モードの場合、平仮名モードと同様の文字を片仮名で入力することができる。アルファベット大文字モードの場合、キー「２」は「Ａ、Ｂ、またはＣ」、キー「３」は「Ｄ、Ｅ、またはＦ」、キー「４」は「Ｇ、Ｈ、またはＩ」、キー「５」は「Ｊ、Ｋ、またはＬ」、キー「６」は「Ｍ、Ｎ、またはＯ」、キー「７」は「Ｐ、Ｑ、Ｒ、またはＳ」、キー「８」は「Ｔ、Ｕ、またはＶ」、およびキー「９」は「Ｗ、Ｘ、Ｙ、またはＺ」を入力することができる。アルファベット小文字モードの場合、アルファベット大文字モードで入力することができる文字の小文字を入力することができる。濁点キーは、平仮名モード、あるいは片仮名モードで直前に入力した文字に濁点を付け、さらにもう一度押すことで半濁点を付ける。
【００６０】
図４は、図１に示したサービスサーバ２０から配信されるポップアップデータの構造図の一例を示す。ポップアップデータは、サービスサーバ２０から配信されるポップアップのデータであり、ポップアップＩＤ（Identification）２０１、コンテンツＩＤ２０２、広告主２０３、内容２０４、表示モード２０５、開始時間２０６、継続時間２０７、時間限定２０８、ポップアップ座標２０９、商品座標２１０、アクション２１１、表示アイコンＵＲＬ（Uniform Resource Locator）２１２、広告主ＵＲＬ２１３、ジャンプ先ＵＲＬ２１４、有効期限２１５、ジャンル２１６、および年齢２１７の各データ項目を含む。
【００６１】
一つのコンテンツには、通常複数のポップアップデータが用意され、図４に示した例では、リスト形式で特定のコンテンツに対応するポップアップデータを列挙している。ポップアップデータの配信は、図４に示したポップアップデータを一括して配信するが、必ずしも一括して配信する必要はなく、ポップアップデータを一件毎に配信してもよい。
【００６２】
ポップアップＩＤ２０１は、ポップアップが示す商品を一意に識別するためのＩＤであり、同じ商品であれば、その他のデータ項目が異なる値であっても、同じポップアップＩＤが割り付けられる。コンテンツＩＤ２０２は、ポップアップデータが表示されるべきコンテンツのＩＤである。コンテンツＩＤ２０２によって、コンテンツは一意に特定される。広告主２０３は、ポップアップデータの広告主の名称である。内容２０４は、ポップアップが示す商品の内容を表す。
【００６３】
表示モード２０５は、ポップアップを表示するタイミングを指定するもので、コンテンツ再生前、コンテンツ再生中、あるいはコンテンツ再生後に表示するか否かを、「１」または「０」の３桁の数字で示している。表示する場合「１」とし、表示しない場合を「０」として、最上位の桁をコンテンツ再生前、真中の桁をコンテンツ再生中、および最下位の桁をコンテンツ再生後として示している。コンテンツ再生前、コンテンツ再生中、およびコンテンツ再生後のうちの複数のタイミングで重複して表示することも可能である。
【００６４】
開始時間２０６は、ポップアップ表示を開始する時点を示し、コンテンツの先頭を「００：００：００」とした相対的な時点を、「時間：分：秒」で表す。継続時間２０７は、開始時間２０６から、ポップアップ表示を継続する期間を「分：秒」で表す。時間限定２０８は、開始時間２０６で示した時点以外で表示することを許可するか否かを表す情報で、「なし」の場合は許可することを示し、「あり」の場合は許可しないことを示す。
【００６５】
ポップアップ座標２０９は、ポップアップ時に表示させるアイコンを出す画面上の座標、たとえばアイコンの右上を合わせる位置を表す。コンテンツ再生中にポップアップを行わない場合は、空白とする。商品座標２１０は、コンテンツ表示領域内で、ポップアップが示す商品に関係する位置の座標を示す。コンテンツの画面に直接関係しない場合は、空白とする。アクション２１１は、ポップアップ時にアイコンを表示させる態様を示すもので、「通常」は単純に表示させるだけであり、「点滅」はアイコンの表示と非表示とを高速に切り換えて、たとえば０．５秒間隔で切り換えて表示する。
【００６６】
表示アイコンＵＲＬ２１２は、ポップアップ時に表示するアイコンを取得するインターネット上のＵＲＬを示す。広告主ＵＲＬ２１３は、広告主のウェブサイトの代表ＵＲＬを示す。ジャンプ先ＵＲＬ２１４は、ユーザがポップアップに反応してリモコン１００を操作した場合、Ｗｅｂブラウザによって、このＵＲＬの内容が表示される。有効期限２１５は、ポップアップデータの有効期限を表し、期限が過ぎた場合、ポップアップを表示させないために利用する。ジャンル２１６は、ポップアップデータが示す商品のジャンルを表すものである。年齢２１７は、ポップアップデータが示す商品の広告を行う上での対象年齢を示す。ジャンル２１６および年齢２１７は、受信装置１０の設定内容に適合する項目があり、さらに条件に合致しない場合、ポップアップを行わないなどの制御に使用することができる。
【００６７】
図４には、２つのポップアップ、つまりポップアップＩＤ「２００００００１」およびポップアップＩＤ「２００００００２」のポップアップについてのポップアップデータが示されている。ポップアップＩＤ「２００００００１」のコンテンツＩＤ２０２、広告主２０３、内容２０４、表示モード２０５、開始時間２０６、継続時間２０７、時間限定２０８、ポップアップ座標２０９、商品座標２１０、アクション２１１、表示アイコンＵＲＬ２１２、広告主ＵＲＬ２１３、ジャンプ先ＵＲＬ２１４、有効期限２１５、ジャンル２１６、および年齢２１７は、それぞれ「１００００１」、「ＳＥＬＫＯ」、「限定ウォッチ」、「０１０」、「００：０３：１０」、「００：１０」、「あり」、「１２００、７２０」、「３００、４００」、「通常」、「ｈｔｔｐ：／／ｘｘｘ．ｙｙｙ／・・」、「ｈｔｔｐ：／／ｘｘｘ．ｙｙｙ／・・」、「ｈｔｔｐ：／／ｘｘｘ．ｙｙｙ／・・」、「２００５／１２／１０」、「装飾品」、および「１８歳以上」である。ポップアップＩＤ「２００００００２」については、それぞれ「１００００２」、「早川書店」、「原作本」、「００１」、「０１：５５：００」、「００：０７」、「なし」、「−」、「−」、「点滅」、「ｈｔｔｐ：／／ａａａ．ｂｂｂ／・・」、「ｈｔｔｐ：／／ａａａ．ｂｂｂ／・・」、「ｈｔｔｐ：／／ａａａ．ｂｂｂ／・・」、「２００６／３／３１」、「書籍」、および「１０歳以上」である。
【００６８】
図５は、図１に示したサービスサーバ２０から配信されるコンテンツ付属データの構造図の一例を示す。コンテンツ付属データは、コンテンツの付属情報であり、受信装置１０が、後述するコンテンツリスト画面を表示するためにサービスサーバ２０から受信するデータである。コンテンツ付属データは、コンテンツＩＤ２２１、タイトル２２２、再生時間２２３、料金２２４、消去期限２２５、および内容説明２２６の各データ項目を含む。
【００６９】
コンテンツＩＤ２２１は、コンテンツを一意に特定する番号である。タイトル２２２は、コンテンツのタイトル名である。再生時間２２３は、等倍速で再生した場合のおおよその再生時間を分で表現したものである。料金２２４は、そのコンテンツを消去期限２２５まで視聴するのに要する料金の額である。消去期限２２５は、この時点で購入された場合のコンテンツの視聴期限で、この期限を過ぎたコンテンツは、不揮発性メモリ１５内のコンテンツ記憶部１５ｃから消去される。内容説明２２６は、コンテンツの内容を示すテキストが記述されている。
【００７０】
図５には、２つのコンテンツ、つまりコンテンツＩＤ「１００００１」およびコンテンツＩＤ「１００００２」のコンテンツについてのコンテンツ付属データが示されている。コンテンツＩＤ「１００００１」のタイトル２２２、再生時間２２３、料金２２４、消去期限２２５、および内容説明２２６は、それぞれ「冬のドナタ」、「１１０分」、「３００円」、「２００５／９／１４」、および「韓流人気ドラ・・・」であり、コンテンツＩＤ「１００００２」については、それぞれ「リハーポッター」、「１６２分」、「４００円」、「２００５／９／８」、および「魔法使いのポ・・・」である。
【００７１】
図６は、図１に示したサービスサーバ２０で管理されるコンテンツ管理データの構造図の一例を示す。コンテンツ管理データは、コンテンツを管理するためのデータであり、サービスサーバ２０内に蓄積され、コンテンツＩＤ２４１、タイトル２４２、再生時間２４３、料金２４４、消去期限２４５、内容説明２４６、コンテンツファイルパス２４７、関連ポップアップデータ件数２４８、および関連ポップアップＩＤリスト２４９の各データ項目を含む。
【００７２】
コンテンツＩＤ２４１、タイトル２４２、再生時間２４３、料金２４４、消去期限２４５、および内容説明２４６は、それぞれ図５に示したコンテンツ付属データのコンテンツＩＤ２２１、タイトル２２２、再生時間２２３、料金２２４、消去期限２２５、および内容説明２２６と同じであるので、説明は省略する。
【００７３】
コンテンツファイルパス２４７は、コンテンツの実体ファイルを管理するサービスサーバ２０内のファイル位置、あるいはその他サービス側が管理するサーバ内のファイル位置を示す。コンテンツＩＤ２４１とファイル実体との対応をとっている。関連ポップアップデータ件数２４８は、コンテンツの送信時に受信装置１０に配信すべきポップアップデータの件数を示している。関連ポップアップＩＤリスト２４９は、配信すべきポップアップデータのポップアップＩＤの一覧を示すリストであり、ここに記述されたポップアップＩＤを持つポップアップデータが、コンテンツの送信時に送信される。
【００７４】
図６には、２つのコンテンツ、つまりコンテンツＩＤ「１００００１」およびコンテンツＩＤ「１００００２」のコンテンツについてのコンテンツ管理データが示されている。コンテンツＩＤ「１００００１」のコンテンツファイルパス２４７、関連ポップアップデータ件数２４８、および関連ポップアップＩＤリスト２４９は、それぞれ「／ｏｐｔ／ａｖｆｉｌｅ／１００００１．ｍｐｇ」、「４」、および「２００００００１、２００００００２、・・・」であり、コンテンツＩＤ「１００００２」については、それぞれ「／ｏｐｔ／ａｖｆｉｌｅ／１００００２．ｍｐｇ」、「８」、および「２０００００１０、２０００００１３、・・・」である。
【００７５】
図７は、図２に示した受信装置１０が処理するポップアップデータ取得フローチャートである。ポップアップデータの取得は、コンテンツ取得のシーケンスの中で行われ、このフローチャートは、コンテンツ取得の手順を示す。たとえば、リモコン１００の電源キー１０１押下によって電源投入されると、受信装置１０は、不揮発性メモリ１５内のプログラム記憶部１５ａに記憶されている受信プログラムを起動して、ステップＡ１に移る。図７に示した各ステップは、受信プログラムの動作である。
【００７６】
ステップＡ１では、サービスサーバ２０に対し、コンテンツリスト送信要求を行い、コンテンツリストを受信し、後述するコンテンツリスト画面を表示する。コンテンツリストは、図５に示したコンテンツ付属データの集合によって構成される。このとき、不揮発性メモリ１５のコンテンツ記憶部１５ｃに一時的に記憶されているコンテンツの消去期限を確認し、期限を過ぎたコンテンツを消去する。
【００７７】
ステップＡ２では、ユーザがコンテンツを選択すると、選択されたコンテンツが購入済みか否か、すなわち選択されたコンテンツがコンテンツ記憶部１５ｃに記憶されているか否かを確認する。購入済みである場合は、ステップＡ９へ進み、再生を開始する。購入済みでない場合はステップＡ３へ進む。ステップＡ３では、後述する購入確認画面を表示する。ステップＡ４では、購入するか否かを確認する。購入する場合は、ステップＡ５に進み、キャンセルした場合つまり購入しない場合は、ステップＡ１へ戻り、コンテンツリスト画面を表示する。
【００７８】
ステップＡ５では、コンテンツ記憶部１５ｃに記憶されているコンテンツ付属データから抽出した、選択されたコンテンツに対応するコンテンツＩＤと、予め不揮発性メモリ１５内の設定情報記憶部１５ｄに記憶されたクレジットカードデータ、たとえばカード番号、名前、および有効期限などの情報とを含んだ購入要求をサービスサーバ２０に送信する。ステップＡ６では、サービスサーバ２０が、クレジットカードが有効か否かを示す応答を返すと、受信装置１０はこの応答を受信し、クレジットカードが有効か否かを判断する。クレジットカードが無効つまり有効でない場合は、ステップＡ１へ戻り、コンテンツリスト画面を表示する。クレジットカードが有効である場合は、ステップＡ７に進む。
【００７９】
ステップＡ７では、購入したコンテンツに関連するすべてのポップアップデータの受信を行い、不揮発性メモリ１５内のポップアップデータ記憶部１５ｂに記憶する。ここで、表示アイコンＵＲＬに記載された場所から、アイコンデータを受信し、同様にポップアップデータ記憶部１５ｂに記憶する。ステップＡ８では、コンテンツの受信を開始する。受信したコンテンツは、コンテンツ記憶部１５ｃに一時的に記憶するとともに、同時並行でステップＡ９へ進む。
【００８０】
ステップＡ９では、後述するポップアップ表示プログラムを起動し、制御をポップアップ表示プログラムに渡す。ポップアップ表示プログラムが終了した場合、ステップＡ１に戻り、コンテンツリスト画面を表示する。図７には図示していないが、受信プログラムの起動後の各ステップでリモコン１００の電源キー１０１が操作された場合は、受信プログラムを終了する。
【００８１】
図８は、図１に示したサービスサーバ２０が処理するポップアップデータ送出フローチャートである。このフローチャートは、サービスサーバ２０におけるポップアップデータの送信およびコンテンツ送信の手順を示す。この手順は、図７に示した受信装置１０におけるポップアップデータの取得の手順と連動している。サービスサーバ２０は、起動後、ステップＢ１に移る。
【００８２】
ステップＢ１では、受信装置１０からの要求の待ち状態となっており、常時要求の有無を監視している。要求がない場合は、短時間、たとえば１００ミリ秒の待機後、ステップＢ１の手順を繰り返す。要求があった場合は、ステップＢ２へ進む。ステップＢ２では、要求がコンテンツリストの送信要求であるか否かを確認する。コンテンツリストの送信要求であった場合は、ステップＢ８に進み、コンテンツリストの送信要求でない場合は、ステップＢ３に進む。
【００８３】
ステップＢ３では、要求が購入要求であるか否かを確認する。購入要求でない場合は、無効な要求として、何も処理せずにステップＢ１へ戻る。購入要求である場合は、ステップＢ４へ進む。ステップＢ４では、クレジットカードデータ、たとえばカード番号、名前、および有効期限などの情報を与信サーバ４０へ送信し、有効か否かを問い合わせる。ステップＢ５では、与信サーバ４０から応答を得ると、クレジットカードが有効であるか否かを判断する。クレジットカードが無効である場合つまり有効でない場合は、ステップＢ９に進む。クレジットカードが有効である場合は、ステップＢ６へ進む。
【００８４】
ステップＢ６では、コンテンツの料金の課金処理を行うと共に、コンテンツに関連する全てのポップアップデータを受信装置１０へ送信する。このとき、ポップアップデータは、表示開始時間の早いものの順にソートした状態で送信する。続いてステップＢ７では、コンテンツデータの送信を行う。送信が完了すると、ステップＢ１へ戻る。
【００８５】
ステップＢ８では、ユーザに提供することが可能な全てのコンテンツのコンテンツ付属データを受信装置１０に送信し、ステップＢ１へ戻る。ステップＢ９では、クレジットカードが無効であることを示す通知を行い、ステップＢ１へ戻る。
【００８６】
図９は、図２に示した受信装置１０が処理するポップアップの表示および広告主サイト接続フローチャートである。受信装置１０におけるポップアップの表示処理の手順を示す。ポップアップの表示は、不揮発性メモリ１５内のプログラム記憶部１５ａに記憶されるポップアップ表示プログラムが行う。コンテンツの再生が開始されると、すなわち受信プログラムが図７に示したステップＡ９でポップアップ表示プログラムを起動すると、ステップＣ１に移る。図９に示した各ステップは、ポップアップ表示プログラムの動作である。
【００８７】
ステップＣ１では、コンテンツの再生を開始する。再生と並行して、ステップＣ２へ進む。ステップＣ２では、再生を開始したコンテンツのコンテンツＩＤと一致するコンテンツＩＤを持つポップアップデータを、不揮発性メモリ１５内のポップアップデータ記憶部１５ｂを先頭から順に１件読み出す。ステップＣ３では、終端か否か、すなわちポップアップデータ記憶部１５ｂからポップアップデータを読み出せたか否か確認する。読み出しが行えなかった場合は、終端と判断して、ステップＣ１２へ進む。ポップアップデータの読み出しに成功した場合は、終端でないと判断し、ステップＣ４へ進む。
【００８８】
ステップＣ４では、ポップアップデータの開始時間２０６を参照し、コンテンツの再生開始から経過した時間の時点と比較して、ポップアップの表示タイミングであるか否かを判断する。再生開始から経過した時間の時点が開始時間２０６の時点よりも早い場合は、ポップアップの表示タイミングでないと判断し、ごく短時間、たとえば１５ミリ秒の待機後、ステップＣ４の手順を繰り返す。再生開始から経過した時間の時点が開始時間２０６の時点と同じ、あるいは遅い場合は、表示タイミングであると判断し、ステップＣ５へ進む。
【００８９】
ステップＣ５では、ポップアップの表示を行う。このときの画面については後述する。ポップアップ表示を継続しつつ、ステップＣ６へ進む。ステップＣ６では、ユーザ操作、すなわちリモコン１００の決定キー１０３が押されたか否かを判断する。ユーザ操作がないと判断された場合は、ステップＣ１３へ進む。ユーザ操作があると判断された場合は、ステップＣ７へ進む。
【００９０】
ステップＣ７では、コンテンツの再生を一時停止し、不揮発性メモリ１５内のプログラム記憶部１５ａに記憶されたＷｅｂブラウザを起動して、画面を後述する広告画面の構成にする。つづいて、ステップＣ８では、現在参照しているポップアップデータのジャンプ先ＵＲＬ２１４の情報を取得し、Ｗｅｂブラウザによって表示する。ステップＣ９では、Ｗｅｂブラウザが終了したか否かを判断し、Ｗｅｂブラウザが終了するのを待つ。Ｗｅｂブラウザが終了していない場合は、短時間、例えば１００ミリ秒の待機後、再度ステップＣ９を実行する。Ｗｅｂブラウザが終了した場合は、ステップＣ１０へ進む。ステップＣ１０では、一時停止していたコンテンツの再生を再開する。ステップＣ１１では、再生の再開が成功したか否かを確認する。再生が再開できず終了した場合は、ポップアップ表示プログラムを終了する。再生が正常に再開できた場合は、ステップＣ２へ戻る。
【００９１】
ステップＣ１２では、再生が終了したか否かを判断する。再生が終了していない場合は、短時間、たとえば１００ミリ秒の待機後、ステップＣ１２の手順を繰り返す。再生が終了している場合は、終了する。ステップＣ１３では、ポップアップの表示を開始してから、ポップアップデータの継続時間２０７が経過したか否を判断する。ポップアップデータの表示を開始してから、継続時間２０７が経過していない場合は、短時間、たとえば１００ミリ秒の待機後、ステップＣ１３へ戻る。継続時間２０７が経過した場合は、ステップＣ１４へ進む。ステップＣ１４では、ポップアップ表示を画面から消去して、ステップＣ２へ戻る。
【００９２】
図１０は、図２に示した表示パネル１７に表示されるポップアップが１つの場合のポップアップ表示画面の例を示す。図１０（ａ１）は、コンテンツの映像の中に１つのポップアップを表示した画面３００を示す。受信装置１０は、視聴者が番組視聴中に、不揮発性メモリ１５のポップアップデータ記憶部１５ｂに記憶されているポップアップデータの開始時間２０６から継続時間２０７の間、表示アイコンＵＲＬ２１２から読み出したアイコン３０１をポップアップ座標２０９に表示する。図１０（ａ１）に示した画面３００では、画面の左上の位置にアイコン３０１が表示されている。
【００９３】
図１０（ａ２）は、コンテンツの映像を縮小表示し、コンテンツの映像とは別の領域に１つのポップアップを表示した画面３１０を示す。受信装置１０の設定によって、コンテンツ画面の縮小表示が可能な場合、ポップアップ表示領域３１１を設け、ポップアップ表示領域３１１にアイコン３１２を表示する。図１０（ａ２）に示した画面３１０では、ポップアップ表示領域３１１の左下にアイコン３１２が表示されている。
【００９４】
図１０（ｂ）は、コンテンツの映像とともに広告画面を表示した画面３２０を示す。受信装置１０は、ポップアップ表示中に、リモコン１００の決定キー１０３が押されると、広告画面３２２をコンテンツ画面３２４と同時に表示する。広告画面３２２は、ポップアップデータに含まれるジャンプ先ＵＲＬ２１４のデータが表示される。画面３２０には、アイコン３２１が画面の右上に表示され、詳細ボタン３２２が画面右側の下側に表示されている。広告画面３２２表示中は、コンテンツの再生は一時停止される。商品座標２１０が示す位置に商品表示枠３２５および矢印３２６を表示して商品の強調が行われる。
【００９５】
リモコン１００の戻るキー１０６が押下されると、広告画面３２２が閉じられて、コンテンツの映像が画面全体に表示され、コンテンツ再生が再開される。画面３２０に表示された詳細ボタン３２３が押されると、広告主ＵＲＬ２１３に含まれるＷｅｂ画面が、広告画面３２２に表示される。
【００９６】
図１１は、図２に示した表示パネル１７に表示されるポップアップが複数の場合のポップアップ表示画面の例を示す。図１１（ａ１）は、コンテンツの映像の中に複数のポップアップを表示した画面３３０を示し、画面３３０の画面の左上の位置にアイコン３３１〜３３３が表示されている。同じ時間帯に複数のポップアップがあり、ポップアップ座標が重なる場合、ポップアップのアイコンを重ならないように並べ替えて表示する。もしくは受信装置１０内で予め決められた時間間隔毎に入れ替えて表示させてもよい。
【００９７】
図１１（ａ２）は、コンテンツの映像を縮小表示し、コンテンツの映像とは別の領域に３つのポップアップを表示した画面３４０を示し、ポップアップ表示領域３４１の左下にアイコン３４２〜３４４が表示されている。
【００９８】
図１１（ａ３）は、複数の広告画面を示す。図１１（ａ１）または図１１（ａ２）に示した状態のとき、リモコン１００の決定キー１０３が押されると、図１１（ａ３）に示した３つの広告画面のうちの１つ広告画面が、図１０（ｂ）に示した画面３２０の右側の画面の位置に表示される。この広告画面は、複数の広告画面、すなわちアイコンの数に対応する数のページからなる広告画面である。広告画面には、「ページ送り」ボタンおよび「ページ戻し」ボタンが表示される。図１１（ａ３）では、「ページ送り」ボタンは、「次へ」という文字とともに表示された右方向の矢印ボタンに対応し、「ページ戻し」ボタンは、「前へ」という文字とともに表示された左方向の矢印ボタンに対応する。「ページ送り」ボタンおよび「ページ戻し」ボタンを、それぞれリモコン１００の左方向および右方向へのカーソルキー１０４を操作することによって、広告画面のページを切り換え、他商品の広告画面を開くことができる。「ページ送り」ボタンと「ページ戻し」ボタンのある矩形領域は、フレームであり、受信装置１０で作成される。「ページ送り」ボタンおよび「ページ戻し」ボタンを押した場合のジャンプ先は、各ポップアップデータのジャンプ先ＵＲＬ２１４が対応付けされる。
【００９９】
広告画面３５０は、複数の広告画面のうちの先頭のページの広告画面であり、「ページ送り」ボタン３５１が表示され、「ページ戻し」ボタンはない。「ページ送り」ボタン３５１を押すと広告画面３６０が表示される。広告画面３６０は、２番目のページの広告画面であり、「ページ送り」ボタン３６１および「ページ戻し」ボタン３６２が表示されている。「ページ送り」ボタン３６１を押すと広告画面３７０が表示され、「ページ戻し」ボタン３６２を押すと広告画面３５０が表示される。広告画面３７０は、３番目のページの広告画面であり、「ページ戻し」ボタン３７１および「ページ送り」ボタン３７２が表示されている。「ページ戻し」ボタン３７１を押すと広告画面３６０が表示される。
【０１００】
図１２は、図２に示した表示パネル１７に表示されるポップアップ広告一覧画面４００の一例を示す。ポップアップ広告一覧画面４００は、ポップアップデータによって送られた広告の一覧を示す画面であり、この画面から広告画面を表示することができる。広告一覧は、たとえばジャンル別、表示時間順、あるいは広告更新時間順などでソートして表示する。ポップアップ広告一覧画面４００は、コンテンツ再生前、再生中、および再生後のいずれの時期でも表示することができる。
【０１０１】
図１２には、広告一覧がジャンル別、具体的には「家電」４０２、「家具」４０３、「ミュージック」４０４、および「本」４０５の４つのジャンル別に示されており、各広告は、アイコンおよび商品名が示されている。ユーザは、カーソル４０１をリモコン１００の上下左右方向のカーソルキー１０４で操作し、カーソル４０１を確認したい広告に合わせ、決定キー１０３を押すことによって、広告画面の表示を行うことができる。
【０１０２】
図１３は、ポップアップ表示タイミングの一例を示す。コンテンツの再生と表示されるポップアップとの時間関係を示す。ポップアップデータのコンテンツＩＤ２０２が、再生されるコンテンツのコンテンツＩＤと一致するポップアップの表示時間を、コンテンツの再生が開始されてからの時間で示している。
【０１０３】
図１３では、コンテンツＩＤが「１００００５」で、再生時間が「７０分」のコンテンツについて、ポップアップＩＤが「３００００００１」、開始時間が「００：０３：３０」、および継続時間が「００：１０」のポップアップ、ポップアップＩＤが「３００００００２」、開始時間が「００：２５：１０」、および継続時間が「００：０７」のポップアップ、ならびにポップアップＩＤが「３００００００３」、開始時間が「０１：０５：００」、および継続時間が「００：２０」のポップアップの３件のポップアップの表示時間を示している。コンテンツＩＤが「１００００５」のコンテンツに対しては、コンテンツの配信に先立って、３件のポップアップデータがサービスサーバ２０から送信される。
【０１０４】
コンテンツの再生開始から、３分３０秒経過した時点から１０秒間、ポップアップＩＤ「３００００００１」のポップアップ表示を行い、再生開始から２５分１０秒経過した時点から７秒間、ポップアップＩＤ「３００００００２」のポップアップ表示を行い、さらに、再生開始から１時間５分経過した時点から２０秒間、ポップアップＩＤ「３００００００３」のポップアップ表示を行う。ポップアップの表示期間中に、ユーザがリモコン１００の決定キー１０３を押下すると、広告画面、たとえば図１０（ｂ）に示した画面３２０が表示される。
【０１０５】
図１４は、図２に示した表示パネル１７に表示されるコンテンツリスト画面５００の一例を示す。コンテンツリスト画面５００は、受信装置１０の電源投入時などに、サービスサーバ２０から受信したコンテンツ付属データを元に作成され、表示される画面である。
【０１０６】
コンテンツリスト画面５００の右領域５０１にコンテンツのタイトル一覧が表示される。上段に画面のタイトル「コンテンツリスト」が表示され、その下に３つのコンテンツのタイトル、「冬のドナタ」、「リハーポッター」、および「スター  ワォーズ６」が表示される。現在選択されているコンテンツのタイトルに矩形の枠で表わされるフォーカス５０２が表示される。このフォーカス５０２は、リモコン１００の上下方向のカーソルキー１０４の操作によって、選択されるタイトルを移動する。コンテンツの数が多く、画面に表示しきれない場合は、タイトル一覧が表示されるリスト領域の右にスクロールバー５０３が表示され、リモコン１００の上下方向のカーソルキー１０４による操作で、表示されていないタイトルを画面に表示することができる。リスト領域の上端より上あるいは下端より下を選択しようとした場合は、スクロールバー５０３を操作すると、画面がスクロールし、新たなコンテンツのタイトルが表示されるとともに、フォーカス５０２がそのコンテンツを選択した状態になる。
【０１０７】
フォーカス５０２によって選択されたコンテンツの情報は、画面左領域５０４に表示される。コンテンツの情報には、タイトル、再生時間、消去期限、および内容説明が含まれる。画面５００には、タイトル「スター  ワォーズ６」、再生時間「１５６分」、消去期限「２００５年９月８日」、および内容説明「人気のＳＦ作品の６作目・・・」と示されている。
【０１０８】
リモコン１００の決定キー１０３が操作され、選択されているタイトルのコンテンツが購入済みのコンテンツであれば、再生が開始される。未購入の場合は、図１５で詳述する購入確認画面が表示される。
【０１０９】
図１５は、図２に示した表示パネル１７に表示される購入確認画面５１０の一例を示す。購入確認画面５１０は、コンテンツリスト画面５００で未購入のコンテンツを選択した場合に表示される画面である。
【０１１０】
購入確認画面５１０には、画面の上側に画面のタイトル「購入確認画面」が示され、画面の中ほどにコンテンツのタイトルと料金が表示され、画面の下側に購入ボタン５１１およびキャンセルボタン５１２が配置されている。図１５には、タイトルおよび料金が、それぞれ「タイトル：スター  ワォーズ６」および「料金：４００円」として示されている。
【０１１１】
リモコン１００の左右方向のカーソルキー１０４の操作によって、フォーカス５１３は、購入ボタン５１１およびキャンセルボタン５１２の２ボタンを移動する。リモコン１００の決定キー１０３を押下した場合、フォーカス５１３が存在するボタンが押されたことになる。購入が選択された場合、受信装置１０は、コンテンツＩＤおよびクレジット番号をサービスサーバ２０へ送信する。キャンセルボタン５１２が選択された場合は、コンテンツリスト画面５００に戻る。
【０１１２】
図１６は、図２に示した表示パネル１７に表示される設定画面５２０の一例を示す。設定画面５２０は、リモコン１００の設定キー１０２が押下された場合に表示される画面である。
【０１１３】
設定画面５２０には、画面の上側に画面のタイトル「設定画面」が示され、その下側にネットワーク設定ボタン５２１、ユーザ情報設定ボタン５２２、カード情報設定ボタン５２３、ポップアップ表示方法選択ボタン５２４、キャンセルボタン５２５が配置される。リモコン１００の上下左右方向のカーソルキー１０４の操作によって、フォーカス５２６は、この５つボタンを移動する。リモコン１００の決定キー１０３を押下した場合、フォーカス５２６が存在するボタンが押されたことになる。
【０１１４】
ネットワーク設定ボタン５２１が押された場合は、ネットワーク設定画面５４０が表示される。ユーザ情報設定ボタン５２２が押された場合は、ユーザ情報設定画面が表示される。カード情報設定ボタン５２３が押された場合は、カード情報設定画面５３０が表示される。ポップアップ方法選択ボタン５２４が表示された場合は、ポップアップ方法選択画面が表示される。さらにキャンセルボタン５２５が押された場合は、設定画面５２０が表示される前の画面に遷移する。
【０１１５】
図１７は、図２に示した表示パネル１７に表示されるカード情報設定画面５３０の一例を示す。カード情報設定画面５３０は、設定画面５２０でカード情報設定ボタン５２３が押された場合に表示される画面である。
【０１１６】
カード情報設定画面５３０には、画面の上側に画面のタイトル「クレジットカード情報設定画面」が示され、画面の中ほどに氏名入力欄５３１、月および年用の２つの入力欄を有する有効期限入力欄５３２、およびカード番号入力欄５３３が示され、画面の下側に設定ボタン５３４およびキャンセルボタン５３５が配置される。リモコン１００の上下左右方向のカーソルキー１０４の操作によって、フォーカス５３６は、この４個の入力欄および２つのボタンを移動する。リモコン１００の決定キー１０３を押下した場合、フォーカス５３６が存在する入力欄が選択された、あるいは、ボタンが押されたことになる。
【０１１７】
氏名入力欄５３１は、「氏名：」と表示された右側に入力欄がある。リモコン１００の文字種切り換えキー１０７および文字入力キー１０８を操作することによって、片仮名でクレジットカードの名義氏名を氏名入力欄５３１に入力する。有効期限欄５３２は、「有効期限：」と表示された右側に月および年用の２つの入力欄がある。クレジットカードの有効期限を数字モードにて２桁の数字で、月および年用の２つの入力欄に入力する。カード番号入力欄５３３は、「カード番号：」と表示された右側に入力欄がある。数字モードにてクレジットカードの番号を１６桁でカード番号入力欄５３３に入力する。
【０１１８】
設定ボタン５３４が押された場合は、設定内容を不揮発性メモリ１５内の設定情報記憶部１５ｄに記憶して、設定画面５２０に戻る。キャンセルボタン５３５が押された場合は、入力内容を反映せずに、つまり設定情報を設定情報記憶部１５ｄに記憶せずに、設定画面５２０に戻る。
【０１１９】
図１８は、図２に示した表示パネル１７に表示されるネットワーク設定画面５４０の一例を示す。ネットワーク設定画面５４０は、設定画面５２０でネットワーク設定ボタン５２１が押された場合に表示される画面であり、受信装置１０がネットワークに接続するために必要な設定を行うことができる。
【０１２０】
ネットワーク設定画面５４０には、画面の上側に画面のタイトル「ネットワーク設定画面」が示され、画面の中ほどにＩＰ（Internet Protocol）アドレス設定欄５４１、ネットマスク設定欄５４２、デフォルトゲートウェイ設定欄５４３、ＤＮＳ（Domain Name
Server）サーバ設定欄５４４が示され、画面の下側に設定ボタン５４５およびキャンセルボタン５４６が配置される。各設定欄には、それぞれ４つの項目があり、それぞれ４つの入力欄を有する。リモコン１００の上下左右方向のカーソルキー１０４の操作によって、フォーカス５４７は、この１６個の入力欄および２つのボタンを移動する。リモコン１００の決定キー１０３を押下した場合、フォーカス５４７が存在する入力欄が選択された、あるいは、ボタンが押されたことになる。
【０１２１】
ＩＰアドレス設定欄５４１は、「ＩＰアドレス：」と表示された右側に４つの入力欄がある。受信装置１０に設定すべきＩＰアドレスを４項目に分けて、リモコン１００の文字入力キー１０８を使用し、ＩＰアドレス設定欄５４１の４つの入力欄に、それぞれ数字を設定する。数字は、数字０〜２５５の中から選択された数字である。ネットマスク設定欄５４２、デフォルトゲートウェイ設定欄５４３、およびＤＮＳサーバ設定欄５４４についても、ＩＰアドレス設定欄５４１と同様に設定を行う。
【０１２２】
設定ボタン５４５が押された場合は、各入力欄に入力された数字を不揮発性メモリ１５内の設定情報記憶部１５ｄに記憶して、設定画面５２０に戻る。キャンセルボタン５４６が押された場合は、入力内容を反映せずに、設定画面５２０に遷移する。設定ボタン５４５が押された際に、ＩＰアドレス設定欄が空白の場合は、ＤＨＣＰ（Dynamic Host
Configuration Protocol）によるネットワーク情報の自動設定を試みる。ＤＨＣＰから取得が行えた場合は、ネットマスク、デフォルトゲートウェイ、ＤＮＳサーバ情報も含めて、ＤＨＣＰから取得された値を設定情報記憶部１５ｄに記憶する。
【０１２３】
図１９は、図２に示した受信装置１０が処理する他のポップアップデータ取得フローチャートである。図７に示したポップアップデータ取得フローチャートでは、ポップアップデータとコンテンツとを連続して取得したが、ポップアップデータの取得をコンテンツの取得と独立して実行してもよい。図１９に示したポップアップデータ取得フローチャートでは、コンテンツリストの受信に続いて、ポップアップデータのみを受信し、コンテンツの購入前にコンテンツリストに含まれるコンテンツの再生中に表示されるすべてのポップアップデータを予め取得しておく。ステップＤ１は、図７に示したステップＡ１と同じであり、説明は省略する。
【０１２４】
ステップＤ２では、コンテンツリスト画面の表示が完了した直後、コンテンツリスト中に存在するコンテンツで表示される全てのポップアップデータの送信を、サービスサーバ２０に要求し、これを受信する。この段階では、ポップアップデータ記憶部１５ｂには記憶せず、ワークメモリ１４に保持する。ステップＤ３〜ステップＤ７は、それぞれ図７に示したステップＡ２〜ステップＡ６と同じであり、説明は省略する。
【０１２５】
ステップＤ８では、購入したコンテンツで表示されるポップアップデータだけが抽出され、ポップアップデータ記憶部１５ｂに記憶する。ステップＤ９およびステップＤ１０は、それぞれ図７に示したステップＡ８およびステップＡ９と同じであり、説明は省略する。
【０１２６】
図２０は、図１に示したサービスサーバ２０が処理する他のポップアップデータ送出フローチャートである。図２０は、図１９に示した受信装置１０が処理するポップアップデータ取得フローチャートに対応するサービスサーバ２０側の手順を示したフローチャートである。ステップＥ１およびステップＥ２は、それぞれ図８に示したステップＢ１およびステップＢ２と同じであり、説明は省略する。
【０１２７】
ステップＥ３では、ポップアップデータの送信要求であるか否かを判断する。ポップアップデータの送信要求である場合は、ステップＥ１０へ進み、ポップアップデータの送信要求でない場合は、ステップＥ４へ進む。ステップＥ１０では、コンテンツリストに含まれるコンテンツで表示される全ポップアップデータを一括して受信装置１０に送信し、ステップＥ１の手順へ戻る。ステップＥ４〜ステップＥ６は、それぞれ図８に示したステップＢ３〜ステップＢ５と同じであり、説明は省略する。
【０１２８】
ステップＥ７では、コンテンツの料金の課金処理を行う。課金が終了したのち、ステップＥ８では、コンテンツデータの送信を行い、送信が完了すると、ステップＥ１の要求受付の手順まで戻る。
【０１２９】
図２１は、図１に示した受信装置１０の他のブロック図である。この受信装置１０は、図２に示した受信装置１０の不揮発性メモリ１５に、視聴者情報記憶部１５ｅおよび視聴者情報送信可否フラグ記憶部１５ｆを追加したものである。図２と同じ構成要素には、同じ参照符号を付して、重複を避けるため説明は省略する。
【０１３０】
視聴者情報記憶部１５ｅは、視聴者に関連する情報を表す視聴者情報を記憶する。視聴者情報送信可否フラグ記憶部１５ｆは、視聴者情報に含まれる後述する情報毎に、送信の許可または禁止を表す送信可否情報たとえばフラグを記憶する。
【０１３１】
図２２は、図１に示した広告主サーバ３０のブロック図である。広告主サーバ３０は、一般的なサーバ機能を持つコンピュータによって構成され、ネットワークインタフェース３１、ＣＰＵ３２、および不揮発性メモリ３３を含む。
【０１３２】
ネットワークインタフェース３１は、広告主サーバ３０をインターネット５０などの情報通信網であるネットワークに接続するためのインタフェース回路であり、たとえばイーサネット（登録商標）規格に適合するものである。ＣＰＵ３２は、不揮発性メモリ３３に記憶されたプログラムを実行することによって、広告主サーバ３０の制御および演算を行う回路である。不揮発性メモリ３３は、読み書き可能で、かつ電力が供給されなくてもデータが消去されないメモリ、たとえばフラッシュメモリあるいはＨＤＤによって構成される。さらに不揮発性メモリ３３は、プログラムを記憶する記憶部以外に、視聴者情報ＤＢ（database）３３ａ、ポップアップ情報ＤＢ３３ｂ、およびコンテンツ付属情報ＤＢ３３ｃを記憶する記憶部、パターン情報記憶部３３ｄ、ならびにＷｅｂソース分記憶部３３ｅを含む。
【０１３３】
視聴者情報ＤＢ３３ａは、受信装置１０から受信した視聴者情報を記憶するデータベースである。ポップアップ情報ＤＢ３３ｂは、視聴者情報ＤＢ３３ａに記憶される視聴者情報に含まれるポップアップＩＤに対応するポップアップデータ（以下、ポップアップ情報ともいう）を記憶するデータベースである。コンテンツ付属情報ＤＢ３３ｃは、ポップアップ情報ＤＢ３３ｂに記憶されるポップアップ情報に関連するコンテンツのコンテンツ付属データ（以下、コンテンツ付属情報ともいう）を記憶するデータベースである。パターン情報記憶部３３ｄは、特別なサービスを提供するためのポップアップＩＤパターン（以下パターン情報ともいう）、つまりポップアップの組合せを表すポップアップＩＤの組合せを記憶する。Ｗｅｂソース分記憶部３３ｅは、商品別に広告ページのＷｅｂソース文、およびＷｅｂソース文中の挿入個所に挿入させる部分であって、視聴者のポップアップＩＤパターンに基づいて変更される挿入部分を記憶するほか、ユーザが購入を行うためのＷｅｂページのＷｅｂソース文など商品販売に必要なＷｅｂページのソース文あるいはスクリプトなどを記憶する。
【０１３４】
図２３は、図２２に示した広告主サーバ３０が用いるＷｅｂページのソース文の一例を示す。受信装置１０からＷｅｂページが要求された商品に関連する商品広告ページのソース文として、広告サーバ３０内の、Ｗｅｂページ文記憶部３３ｅに記憶されているものの一例である。図２３に示したＷｅｂソース文は、ＨＴＭＬ（Hyper Text Markup
Language）形式で記述されている。
【０１３５】
図２３（ａ）は、購入価格および購入ページへのリンク以外のページ全体を表すＷｅｂページソースであり、図２３（ｂ）は、参照元がサービスサーバ２０と一致しない場合に表示すべき購入価格および購入ページへのリンク情報を表すソースの挿入部分１であり、図２３（ｃ）は、参照元がサービスサーバ２０と一致する場合、たとえば受信装置１０の場合に表示すべき購入価格および購入ページへのリンク情報を表すソースの挿入部分２である。図２３（ｂ）に示した価格は、「￥２４９,８００」であるのに対して、図２３（ｃ）に示した特別価格は、「￥２３９,８００」である。図２３（ｂ）および図２３（ｃ）に示したソースの挿入部分は、図２３（ａ）に示した挿入箇所の部分に挿入され、挿入された状態つまり完成した状態のソース分が受信装置１０にＷｅｂページとして送信される。
【０１３６】
図２４は、図２２に示した広告主サーバ３０が処理するＷｅｂページ送信処理フローチャートである。このフローチャートは、Ｗｅｂページの参照元、すなわちポップアップデータのがサービスサーバ２０であるかどうかによって、送信するＷｅｂページのデータを変更する手順を表す。受信装置１０から広告主サーバ３０にＷｅｂページの送信要求があったとき、すなわち受信装置１０の処理手順である後述する図２６に示すステップＧ７が実行されたとき、またはサービスサーバ２０から広告主サーバ３０にＷｅｂページの送信要求があったとき、ステップＦ１に移る。
【０１３７】
ステップＦ１では、Ｗｅｂページ文記憶部３３ｅから、Ｗｅｂページが要求された商品に関連する商品広告ページとして、たとえば図２３（ａ）に示したＷｅｂページソース文を読み込む。この時点では、挿入個所に、挿入部分がない状態つまり商品の販売価格および販売ページつまり購入ページへのリンクがない状態のＷｅｂソース文になっている。
【０１３８】
ステップＦ２では、サービスサーバからのアクセスかどうか、すなわち参照元がサービスサーバ２０であるかどうかを判断する。インターネットで用いられるプロトコルであるＨＴＴＰ（Hyper Text Transfer Protocol）では、受信したＨＴＴＰヘッダからＲｅｆｅｒｅｒ（参照元情報）を抽出することができる。Ｒｅｆｅｒｅｒは、情報の送信を要求する要求元が、どのＵＲＬを参照して情報の送信を要求しているかを識別するための送信元識別情報であり、広告主サーバ３０は、抽出したＲｅｆｅｒｅｒによって、参照元たとえばサービスサーバ２０を特定することが出来る。ＨＴＴＰに準拠した方法で運用する場合、広告主サーバ３０は、ＲｅｆｅｒｅｒとしてＷｅｂページの参照元のＵＲＬの取得が可能である。参照元がサービスサーバ２０である場合は、ステップＦ３へ進み、参照元がサービスサーバ２０でない場合は、ステップＦ５へ進む。
【０１３９】
ステップＦ３では、ステップＦ１で読み込んだＷｅｂソース文に、サービスサーバ特定済Ｗｅｂソース分、つまり参照元がサービスサーバ２０であると特定されたときのＷｅｂソース分、たとえば図２３（ｃ）に示したソースの挿入部分１を挿入し、Ｗｅｂソース文を完成させる。ステップＦ４では、ＷｅｂページつまりステップＦ３またはステップＦ５で完成されたＷｅｂソース文を受信装置１０に送信して、終了する。ステップＦ５では、ステップＦ１で読み込んだＷｅｂソース文に、サービスサーバ未特定Ｗｅｂソース分、つまり参照元がサービスサーバ２０であると特定されないときのＷｅｂソース分、たとえば図２３（ｂ）に示したソースの挿入部分２を挿入し、Ｗｅｂソース文を完成させ、ステップＦ４へ進む。
【０１４０】
図２５は、図２１に示した表示パネル１７に表示されるＷｅｂページ画面の例を示す。すなわち、受信装置１０のＷｅｂブラウザによって、表示パネル１７に表示されるＷｅｂページ画面つまり詳細情報の例である。図２５（ａ）は、参照元がサービスサーバ２０でない場合、つまり図２４に示したステップＦ２で参照元がサービスサーバ２０と合致しないと判断された場合に、表示される画面であり、図２５（ｂ）は、参照元がサービスサーバ２０である場合、つまり図２４に示したステップＦ２で参照元がサービスサーバ２０と合致すると判断された場合に、表示される画面である。
【０１４１】
図２５（ａ）は、図２３ （ａ）に示したソース分の挿入個所に、図２３（ｂ）に示した挿入部分１を挿入したＷｅｂページソース文による画面を表示しており、画面内に表示されている価格が「価格  ￥２４９，８００」となっている。図２５（ｂ）は、図２３ （ａ）に示したソース分の挿入個所に、図２３（ｃ）に示した挿入個所２を挿入したＷｅｂページソース文による画面を表示しており、画面内に表示されている価格が「特別価格  ￥２３９，８００」に変わっている。画面ではわからないが、下線が付された「購入する」の部分を選択する場合、図２５（ａ）に示した「購入する」の部分と図２５（ｂ）「購入する」の部分とでは、ジャンプする購入ページが異なる。
【０１４２】
このように、広告表示装置である受信装置１０は、コンテンツつまりコンテンツリストから選択されたコンテンツの広告情報たとえばポップアップ情報を広告提供装置であるサービスサーバ２０から受信し、コンテンツを出力する際、受信したポップアップ情報が示すポップアップを、出力されるコンテンツの予め定める出力時点に表示し、さらに表示されたポップアップに応答した操作があると、すなわちリモコン１００の操作キーによって操作が行われると、表示されたポップアップを送信する送信元を識別するための送信元識別情報を情報提供装置である広告主サーバ３０に送信する。情報提供装置は、送信元識別情報を受信すると、送信元識別情報が示す送信元に応じた詳細情報を詳細情報の要求元に送信し、広告表示装置は、情報提供装置から送信された詳細情報を受信すると、受信した詳細情報を、出力されるコンテンツと非同期に表示するので、情報提供装置は、送信元識別情報たとえば商品の詳細情報を示すＷｅｂページの送信要求を受信した際、参照元つまり送信元によって商品内容あるいは価格などのサービス内容を変更したＷｅｂページを送信し、広告表示装置に表示させることができる。すなわちコンテンツに関連する広告たとえばポップアップの詳細情報が要求されたとき、ポップアップの送信元に応じた詳細情報を提供することができる。したがって、広告主は、ポップアップ情報を送信する送信元に応じてたとえば送信元である広告提供装置によって提供するサービスを変えることができる。
【０１４３】
さらに、コンテンツを表すコンテンツ情報およびポップアップを表すポップアップ情報つまりポップアップデータを記憶手段たとえば不揮発性メモリ１５に記憶しておき、出力されるコンテンツの予め定める出力時点に、記憶手段に記憶されたポップアップ情報が示すポップアップを表示し、さらに表示されたポップアップが指定手段たとえばリモコン１００によって指定されると、指定されたポップアップを送信する送信元を識別するための送信元識別情報たとえばＲｅｆｅｒｅｒ（参照元情報）を、ポップアップの詳細情報の送信元に送信し、送信した送信元識別情報が示す送信元に応じてポップアップの詳細情報の送信元から送信される詳細情報を受信すると、受信した詳細情報を、出力されるコンテンツと非同期に表示するので、送信元識別情報が示す送信元広告提供装置であるサービスサーバ２０に応じて情報提供装置である広告主サーバ３０から送信される詳細情報を表示することができる。したがって、広告主は、ポップアップ情報を送信する送信元に応じてたとえば送信元である広告提供装置によって提供するサービスを変えることができる。
【０１４４】
さらにまた、ポップアップを送信する送信元を識別するための送信元識別情報を受信すると、記憶手段たとえば不揮発性メモリ３３に記憶されたコンテンツに応じたポップアップの詳細情報のうち、受信した送信元識別情報が示す送信元に応じた詳細情報を、ポップアップの詳細情報の要求元に送信するので、ポップアップの送信元に応じた詳細情報を、詳細情報の要求元たとえば広告表示装置である受信装置１０に表示させることができる。したがって、広告主は、ポップアップ情報の送信元に応じてたとえば広告提供装置によって提供するサービスを変えることができる。
【０１４５】
図２６は、図２１に示した受信装置１０が処理するポップアップの表示および広告主サイト接続フローチャートである。図２１に示した受信装置１０におけるポップアップの表示処理の手順を示す。ポップアップの表示は、不揮発性メモリ１５内のプログラム記憶部１５ａに記憶されるポップアップ表示プログラムが行う。コンテンツの再生が開始されると、すなわち受信プログラムが図７に示したステップＡ９または図１９に示したステップＤ１０でポップアップ表示プログラムを起動すると、ステップＧ１に移る。図２６に示した各ステップは、ポップアップ表示プログラムの動作である。
【０１４６】
ステップＧ１〜ステップＧ６およびステップＧ９〜ステップＧ１４は、それぞれ図９に示したステップＣ１〜ステップＣ６およびステップＣ９〜ステップＣ１４と同じであり、重複を避けるため、説明は省略する。
【０１４７】
ステップＧ７では、視聴者情報の送信および再生の一時停止・画面構成変更を行う。視聴者情報の送信は、まず、現在参照しているポップアップデータのポップアップＩＤおよび視聴中のコンテンツのコンテンツＩＤを、それぞれ視聴者情報に含まれる選択ポップアップＩＤおよびコンテンツＩＤとして、不揮発性メモリ１５内の視聴者情報記憶部１５ｅに記憶し、さらに記憶した視聴者情報を視聴者情報記憶部１５ｅから読み出して、現在参照しているポップアップデータのジャンプ先ＵＲＬ２１４が示す広告主サーバ３０に送信する。広告主サーバ３０から送信されるＷｅｂデータを受信すると、不揮発性メモリ１５内のプログラム記憶部１５ａに記憶されたＷｅｂブラウザを起動して、受信したＷｅｂデータを表示パネル１７に表示する。表示する際、コンテンツの再生を一時停止し、画面をたとえば図１０（ｂ）に示す画面に構成変更する。視聴者情報を広告主サーバ３０へ送信する手段としては、たとえば後述するＣＧＩ（Common Gateway Interface）を用いる。つづいて、ステップＧ８では、現在参照しているポップアップデータのジャンプ先ＵＲＬ２１４の情報を取得し、Ｗｅｂブラウザによって表示する。ジャンプ先ＵＲＬ２１４への情報要求時、Ｒｅｆｅｒｅｒとして、ポップアップを受信したＵＲＬ、すなわちサービスサーバ２０のＵＲＬが通知される。
【０１４８】
図２７は、図２１に示した視聴者情報記憶部１５ｅに記憶される視聴者情報２５０の一例を示す。視聴者情報２５０は、視聴者識別情報、コンテンツ配信事業者識別情報、選択ポップアップＩＤ、およびコンテンツＩＤを含む。
【０１４９】
視聴者識別情報は、コンテンツサービスを受ける視聴者などのユーザを一意に特定するための情報であり、たとえば８桁の番号で示される。図２８に示すユーザ情報設定画面６００からユーザ登録を行った際、サービスサーバ２０から送付される番号を設定する。コンテンツ配信事業者識別情報は、サービスサーバ２０のコンテンツ配信事業者を一意に特定する情報であり、たとえば４桁の番号で示される。視聴者識別情報と同様に、ユーザ登録を行った際、サービスサーバ２０から送付される番号を設定する。選択ポップアップＩＤは、この視聴者が最後に表示したＷｅｂページ、つまり広告主サーバ３０上から最後に取得されたＷｅｂページを閲覧したポップアップのポップアップＩＤを記憶したものである。コンテンツＩＤは、選択ポップアップＩＤに関連しているコンテンツのコンテンツＩＤ、すなわち、ポップアップが表示されるコンテンツのコンテンツＩＤを記憶する。選択ポップアップＩＤおよびコンテンツＩＤは、それぞれ最新の１個の情報のみを記憶する。
【０１５０】
図２７には、視聴者識別情報として「１００００００１」、コンテンツ配信事業者識別情報として「１００５」、選択ポップアップＩＤとして「２００００００１」、およびコンテンツＩＤとして「１００００１」が示されている。
【０１５１】
図２８は、図２１に示した表示パネル１７に表示されるユーザ情報設定画面６００を示す。図１６に示した設定画面５２０のユーザ情報設定ボタン５２２が押された場合に表示される画面であり、このユーザ情報設定画面６００でユーザの氏名および電子メールアドレスを設定することができる。
【０１５２】
ユーザ情報設定画面６００には、画面の上側に画面のタイトル「ユーザ情報設定画面」が示され、画面の中ほどに「氏名：」と付された氏名入力欄６０１、および「メール：」と付されたメールアドレス入力欄６０２が示され、さらに画面の下側に設定ボタン６０３およびキャンセルボタン６０４が配置される。リモコン１００の上下左右方向のカーソルキー１０４の操作によって、フォーカス６０５は、この２個の入力欄および２つのボタンを移動する。リモコン１００の決定キー１０３を押下した場合、フォーカス６０５が存在する入力欄が選択、あるいはボタンが押されたことになる。
【０１５３】
氏名入力欄６０１は、ユーザの氏名を入力するための入力欄であり、リモコン１００の文字種切り換えキー１０７と文字入力キー１０８とを操作し、平仮名モードで氏名を入力する。メールアドレス入力欄６０２は、ユーザの電子メールアドレスを入力するための入力欄であり、リモコン１００の文字種切り換えキー１０７と文字入力キー１０８とを操作し、英数字モードでメールアドレスを入力する。
【０１５４】
設定ボタン６０３が押された場合は、入力された氏名およびメールアドレスを、不揮発性メモリ１５内の設定情報記憶部１５ｄに記憶するとともに、サービスサーバ２０に送付する。サービスサーバ２０からレスポンスとして送信される視聴者識別情報およびコンテンツ配信事業者識別番号を受信し、受信した視聴者識別情報およびコンテンツ配信事業者識別番号を不揮発性メモリ１５内の視聴者情報記憶部１５ｅに視聴者情報として記憶して、設定画面５２０に戻る。キャンセルボタン６０４が押された場合は、入力内容を反映せずに、設定画面５２０に遷移する。
【０１５５】
ＨＴＴＰのクライアントからサーバへ情報を伝達する手段としては、一般にＣＧＩが用いられる。図２６に示したステップＧ７でも、ＨＴＴＰのクライアントである受信装置１０から広告主サーバ３０へ、視聴者情報を送信する手段として、ＣＧＩを用いる。具体的には、そのプログラムが記憶されているＵＲＬを指定することによって、広告主サーバ３０に記憶されているＣＧＩプログラムが起動される。
【０１５６】
視聴者情報を受信装置１０から広告主サーバ３０へ伝達するＵＲＬは、たとえば「ｈｔｔｐ：／／ａａａ．ｂｂｂ．ｃｏｍ／ａｄｖｅｒｔｉｓｅｒ．ｃｇｉ？ｕｓｅｒｉｄ＝１００００００１＆ｓｅｒｖｉｃｅｉｄ＝１００５＆ｐｏｐｕｐｉｄ＝２００００００１＆ｃｏｎｔｅｎｔｉｄ＝１０００００１」で表される。「ｈｔｔｐ：／／ａａａ．ｂｂｂ．ｃｏｍ」は、広告主サーバ３０のアドレスであり、「ａｄｖｅｒｔｉｓｅｒ．ｃｇｉ」は、広告主サーバ３０に記憶されているＣＧＩプログラムであり、このプログラムを起動する。ＣＧＩでは、ＣＧＩプログラムであるａｄｖｅｒｔｉｓｅｒ．ｃｇｉに、伝達したい情報である視聴者識別情報、コンテンツ配信事業者識別情報、選択ポップアップＩＤ、およびコンテンツＩＤを、それぞれ「ｕｓｅｒｉｄ＝１００００００１」、「ｓｅｒｖｉｃｅｉｄ＝１００５」、「ｐｏｐｕｐｉｄ＝２００００００１」、および「ｃｏｎｔｅｎｔｉｄ＝１０００００１」という形式で引数として付加している。引数として使用するパラメータ（ｕｓｅｒｉｄ、ｓｅｒｖｉｃｅｉｄ、ｐｏｐｕｐｉｄ、ｃｏｎｔｅｎｔｉｄ）は、どの広告主でも共通とする。
【０１５７】
このＵＲＬに含まれる情報のうち、ＣＧＩの引数を除いた部分は、ポップアップ情報に含まれるジャンプ先ＵＲＬ２１４の情報と同じものである。受信装置１０で、商品のＷｅｂページにジャンプする際、引数として使用するパラメータに視聴者情報の値を設定することによって、データを受け渡すための追加の通信を行うことなく、視聴者情報の送信が可能である。
【０１５８】
図２９は、図２２に示した視聴者情報ＤＢ３３ａのデータ構造図の一例を示す。このデータ構造図は、広告主サーバ３０の視聴者情報ＤＢ３３ａに記憶される視聴者情報のデータ構造を示す。
【０１５９】
視聴者情報ＤＢ３３ａには、視聴者識別情報２６１、コンテンツ配信事業者識別情報２６２、コンテンツＩＤ２６３、および選択ポップアップＩＤ２６４の項目があり、それぞれ視聴者識別情報、コンテンツ配信事業者識別情報、コンテンツＩＤ、および選択ポップアップＩＤを記憶する。視聴者情報ＤＢ３３ａに記憶される視聴者情報は、受信装置１０からＣＧＩによって送信された視聴者情報を受信したものであり、受信した視聴者情報は、視聴者識別情報毎に、対応するコンテンツ配信事業者識別情報、コンテンツＩＤ、および選択ポップアップＩＤが記憶される。
【０１６０】
図２９には、視聴者情報として、視聴者識別情報２６１が「１００００００１」、「１００００００２」、および「１００００００４」である３つの視聴者情報が記憶されている。視聴者識別情報「１００００００１」に対応するコンテンツ配信事業者識別情報２６２、コンテンツＩＤ２６３、および選択ポップアップＩＤ２６４は、それぞれ「１００５」、「１００００１」、および「２００００００１」が示され、視聴者識別情報「１００００００２」については、それぞれ「１００５」、「１００００８」、および「２００００００９」が示され、視聴者識別情報「１００００００４」については、それぞれ「１００６」、「１０００１０」、および「２００００１１３」が示されている。
【０１６１】
図３０は、図２２に示した広告主サーバ３０が処理するポップアップ情報およびコンテンツ付属情報受信処理フローチャートである。このフローチャートは、広告主サーバ３０の視聴者情報ＤＢ３３ａに記憶された選択ポップアップＩＤ２６４が示すポップアップＩＤに対応するポップアップ情報、および視聴者情報ＤＢ３３ａに記憶されたコンテンツＩＤ２６３が示すコンテンツＩＤに対応するコンテンツ付属情報を、視聴者情報ＤＢ３３ａに記憶されたコンテンツ配信事業者識別情報２６２が示すコンテンツ配信事業者識別情報に対応するサービスサーバ２０から取得する処理を示す。コンテンツ付属情報を取得するためのコンテンツＩＤは、ポップアップ情報に含まれるコンテンツＩＤ２０２のコンテンツＩＤを用いてもよい。広告主サーバ３０が受信装置１０から視聴者情報を受信したタイミングでステップＨ１に移る。
【０１６２】
ステップＨ１では、自主広告と関連するか否かを、要求されたＷｅｂページの広告が、視聴者情報を受信した広告主サーバ３０の広告主がスポンサとなる広告かどうかによって判断する。たとえばポップアップＩＤの先頭４桁を、広告主サーバを識別するための識別番号としておき、受信した視聴者情報に含まれるポップアップＩＤの先頭４桁が、この広告主サーバ３０の識別番号に一致するか否かによって判断する。具体的には、この広告主サーバ３０の識別番号が「２０００」とすると、ポップアップＩＤが「２００００００１」であれば、ポップアップＩＤの先頭４桁がこの広告主サーバ３０の識別番号「２０００」に一致するので、この広告主がスポンサであるポップアップＩＤであると判断する。この広告主がスポンサであるポップアップＩＤであると、ステップＨ２へ進み、この広告主がスポンサであるポップアップＩＤでないと、終了する。
【０１６３】
ステップＨ２では、視聴者情報ＤＢ３３ａに記憶されたコンテンツ配信事業者識別情報２６２が示すコンテンツ配信事業者識別情報に対応するサービスサーバ２０のＵＲＬを、図３１で後述する対応表に基づいて特定し、特定したＵＲＬのサービスサーバ２０に、ポップアップＩＤを送信する。ステップＨ３では、ステップＨ２で送信したポップアップＩＤのレスポンスとして、サービスサーバ２０から送信されるポップアップ情報を受信する。このポップアップ情報は、サービスサーバ２０から受信装置１０に送信される図４に示したポップアップデータと同じ情報である。
【０１６４】
ステップＨ４では、ステップＨ３で受信したポップアップ情報に含まれるコンテンツＩＤを、ステップＨ３でポップアップＩＤを送信したサービスサーバ２０と同じサービスサーバ２０に送信する。ステップＨ５では、ステップＨ４で送信したコンテンツＩＤのレスポンスとして、サービスサーバ２０から送信されるコンテンツ付属情報を受信して終了する。このコンテンツ付属情報は、サービスサーバ２０から受信装置１０に送信される図５に示したコンテンツ付属データと同じ情報である。
【０１６５】
広告主サーバ３０の不揮発性メモリ３３のポップアップ情報ＤＢ３３ｂにポップアップ情報が予め記憶され、かつ不揮発性メモリ３３のコンテンツ付属情報ＤＢ３３ｃにコンテンツ付属情報が予め記憶されている場合は、このフローチャートの処理を実行する必要はない。
【０１６６】
図３１は、図２２に示した広告主サーバ３０が保持するコンテンツ配信事業者情報のデータ構造図の一例を示す。このコンテンツ配信事業者情報は、広告主サーバ３０の不揮発性メモリ３３に記憶される情報であり、コンテンツ配信事業者識別情報２７１およびＵＲＬ２７２の項目を含むデータ構造である。コンテンツ配信事業者情報は、コンテンツ配信事業者識別情報と、ポップアップ情報およびコンテンツ付属情報を取得するための取得先のＵＲＬとの対応を示す情報である。
【０１６７】
図３１には、コンテンツ配信事業者識別情報２７１として、「１００５」、「１００６」、および「１００８」の３つのコンテンツ配信事業者識別情報が示され、対応するＵＲＬ２７２として、それぞれ「ｈｔｔｐ：／／ａａａ.ｂｂｂ．ｃｏｍ／ａｄｖｅｒｔｉｓｅｒ．ｃｇｉ」、「ｈｔｔｐ：／／ａａａ.ｃｃｃ．ｃｏｍ／ａｄｖｅｒｔｉｓｅｒ．ｃｇｉ」、および「ｈｔｔｐ：／／ａａａ.ｄｄｄ．ｃｏｍ／ａｄｖｅｒｔｉｓｅｒ．ｃｇｉ」が示されている。
【０１６８】
図３２は、図１に示したサービスサーバ２０が処理するポップアップ情報およびコンテンツ付属情報送信処理フローチャートである。このフローチャートは、サービスサーバ２０が、広告主サーバ３０に対して、ポップアップ情報およびコンテンツ付属情報を送信する手順を示す。サービスサーバ２０のサービスを開始したときに、ステップＪ１へ移る。サービスサーバ２０がサービスを提供している間は、この処理は常に起動されている。
【０１６９】
ステップＪ１では、予め定める時間待機する。この時間は、短い時間であり、たとえば１００ミリ秒である。ステップＪ２では、広告主サーバ３０からリクエストつまりポップアップ情報またはコンテンツ付属情報の送信要求があったかどうかを判断する。リクエストがあった場合は、ステップＪ３へ進み。リクエストがなかった場合は、ステップＪ１へ戻り、再度待機する。ステップＪ３では、リクエストがポップアップ情報の要求かどうかを判断する。ポップアップ情報の要求である場合は、ステップＪ６へ進み、ポップアップ情報の要求でない場合は、ステップＪ４へ進む。
【０１７０】
ステップＪ４では、リクエストがコンテンツ付属情報の要求かどうかを判断する。コンテンツ付属情報の要求である場合は、ステップＪ５へ進み、コンテンツ付属情報の要求でない場合は、ステップＪ１へ戻り、再度待機する。ステップＪ５では、広告主サーバ３０から受信したコンテンツＩＤに対応するコンテンツ付属情報を広告主サーバ３０に送信しステップＪ１へ戻り、再度待機する。ステップＪ６では、広告主サーバ３０から受信したポップアップＩＤに対応するポップアップ情報を広告主サーバ３０に送信し、ステップＪ１へ戻り、再度待機する。
【０１７１】
図３３は、図２２に示したパターン情報記憶部３３ｄに記憶されるパターン情報のデータ構造図の一例を示す。このパターン情報は、広告主サーバ３０のパターン情報記憶部３３ｄに記憶される情報であり、パターン番号２８１、商品番号２８２、ポップアップＩＤ１２８３、ポップアップＩＤ２２８４、およびポップアップＩＤ３２８５を含むデータ構造である。このパターン情報は、パターン番号毎に、サービスの対象とする商品番号、および１個以上のポップアップＩＤのパターン、つまりポップアップＩＤ１〜ポップアップＩＤｎのポップアップＩＤからなるパターンを対応付けた情報である。ここに、ｎは、自然数である。
【０１７２】
広告主サーバ３０は、パターン情報に含まれるパターン、つまりポップアップの組合せを表すポップアップＩＤの組合せのうち、要求元から要求されたＷｅｂページの商品の商品番号のパターンを構成するポップアップＩＤがすべて、その要求元である視聴者が過去に選択したポップアップＩＤに含まれる場合、パターンに一致すると判断する。すなわち視聴者情報ＤＢ３３ａに記憶された視聴者情報たとえば図２９に示した視聴者情報のうち、Ｗｅｂページを要求した視聴者の視聴者識別情報を含む視聴者情報に含まれるポップアップＩＤからなる組合せのいずれかが、パターン情報に含まれるパターンのうち、要求されたＷｅｂページに対応するパターンに一致する場合、パターンに一致すると判断する。
【０１７３】
図３３には、パターン番号２８１として、「１」、「２」、および「３」の３つのパターン番号が示され、パターン番号「１」に対応する商品番号２８２ならびにポップアップＩＤの組合せは、それぞれ「ＰＣ−１２３４」、ならびにポップアップＩＤ「２００００００３」、ポップアップＩＤ「２０００００１０」、およびポップアップＩＤ「２０００００１６」からなるパターンが示されている。パターン番号「２」については、それぞれ「ＰＣ−５６７８」、ならびにポップアップＩＤ「２００００１０８」およびポップアップＩＤ「２００００１０９」からなるパターンが示され、パターン番号「３」については、それぞれ「ＴＶ−１１１１」、ならびにポップアップＩＤ「２０００１００４」、ポップアップＩＤ「２０００１０１８」、およびポップアップＩＤ「２０００１０１９」からなるパターンが示される。
【０１７４】
上述した実施の形態では、パターンをポップアップＩＤの組合せによって構成したが、ポップアップＩＤの組合せだけでなく、ポップアップＩＤおよびコンテンツＩＤの組合せ、あるいはコンテンツＩＤのみの組合せとしてもよい。
【０１７５】
図３４は、図２２に示した広告主サーバ３０が処理する他のＷｅｂページ送信処理フローチャートである。このフローチャートは、Ｗｅｂページの参照元が過去に選択したポップアップが、予め定めるポップアップの組合せを含むか否かによって、送信するＷｅｂページのデータを変更する手順を表す。受信装置１０から広告主サーバ３０にＷｅｂページの送信要求があったとき、すなわち、受信装置１０の手順である図２６に示したステップＧ７が実行されたとき、ステップＫ１に移る。
【０１７６】
ステップＫ１では、Ｗｅｂページ文記憶部３３ｅから、Ｗｅｂページが要求された商品に関連する商品広告ページとして、たとえば図２３（ａ）に示したＷｅｂページソース文を読み込む。この時点では、挿入個所に、挿入部分がない状態つまり商品の販売価格および販売ページへのリンクがない状態のＷｅｂソース文になっている。
【０１７７】
ステップＫ２では、パターン情報と一致するか否かを判断する。パターン情報と一致するか否かは、視聴者が過去に送信したポップアップＩＤからなる組合せが、つまり受信装置１０から受信して視聴者情報ＤＢ３３ａに記憶された視聴者情報、たとえば図２９に示した視聴者情報のうち、最後にＷｅｂページを要求した受信装置１０つまり視聴者の視聴者識別情報を含む視聴者情報に含まれるポップアップＩＤからなる組合せが、パターン情報記憶部３３ｄに記憶されているパターン情報、たとえば図３３に示したパターン情報のうち、最後にＷｅｂページが要求された商品の商品番号に対応するパターンつまりポップアップＩＤの組合せに含まれるポップアップＩＤのすべてを含むか否かによって判断される。パターン情報と合致する場合は、ステップＫ３へ進み、パターン情報と合致しない場合は、ステップＫ５に進む。
【０１７８】
ステップＫ３では、パターン情報と合致した場合のＷｅｂソースを挿入する。すなわちステップＫ１で読み込んだＷｅｂソース文たとえば図２３（ａ）に示したソース分に、サービス条件に合致した場合のＷｅｂソースの部分たとえば図２３（ｃ）に示すソースの挿入部分１を挿入し、Ｗｅｂソース文を完成させる。ステップＫ４では、受信装置１０にＷｅｂページとして完成されたＷｅｂソース分を送信し、終了する。ステップＫ５では、パターン情報と合致しない場合のＷｅｂソースを挿入する。すなわちステップＫ１で読み込んだＷｅｂソース文たとえば図２３（ａ）に示したソース分に、サービス条件に合致しない場合のＷｅｂソースの部分たとえば図２３（ｂ）に示すソースの挿入部分２を挿入し、Ｗｅｂソース文を完成させ、ステップＫ４へ進む。
【０１７９】
このように、ポップアップの送信を行う送信元を識別するための送信元識別情報とともに、視聴者を識別するための視聴者識別情報およびポップアップを識別するためのポップアップ識別情報を含む視聴者情報を受信すると、受信した視聴者情報を、コンテンツに応じたポップアップの詳細情報およびポップアップの予め定める組合せを表すパターン情報を記憶する記憶手段たとえば不揮発性メモリ３３に記憶する。さらに記憶手段に記憶された視聴者情報のうち、最後に受信された視聴者情報に含まれる視聴者識別情報と同じ視聴者識別情報を含む前記記憶された視聴者情報に含まれるポップアップ識別情報が示すポップアップからなる組合せが、パターン情報が示すポップアップの予め定める組合せに含まれるポップアップのすべてを含むか否かが判断され、予め定める組合せに含まれるポップアップのすべてを含むと判断されると、記憶手段に記憶された詳細情報のうち第１の詳細情報を、または予め定める組合せに含まれるポップアップのいずれかを含まないと判断されると、記憶手段に記憶された詳細情報のうち第１の詳細情報と異なる第２の詳細情報を、詳細情報の要求元に送信するので、視聴者が過去に参照したポップアップに応じた詳細情報を要求元たとえば広告表示装置である受信装置１０に表示させることができる。したがって、広告主は、たとえばお得意様などのユーザが過去に参照したポップアップに応じた特別なサービスを提供することができる。
【０１８０】
図３５は、図２１に示した表示パネル１７に表示される情報送信可否設定画面６１０を示す。この情報送信可否設定画面６１０は、視聴者が、視聴者情報に含まれる各情報について、受信装置１０から広告主サーバ３０への視聴者情報送信時の送信可否を指定する画面である。
【０１８１】
情報送信可否設定画面６１０には、画面の上側のタイトルバー６１１にタイトル「情報送信可否設定」が示され、画面の中ほどに、視聴者情報に含まれる各情報の送信可否を指定するためのリストボックス６１２が示され、さらに画面の下側に設定ボタン６１３およびキャンセルボタン６１４が配置される。
【０１８２】
リストボックス６１２には、３つの項目が示され、各項目の先頭に、各情報の送信が可能か否かを表すボックスが示されている。各ボックスには、「○」または「×」が表示され、「○」の表示は送信可能を表し、「×」の表示は送信拒否を表している。視聴者は、リモコン１００のキーを操作することによって、あるいはマウスに代表されるポインティングデバイスが使用可能であればそのポインティングデバイスを操作することによって、「○」と「×」を交互に変更することができる。３つの項目は、「視聴者識別情報」、「コンテンツ配信事業者識別情報」、および「選択ポップアップＩＤ」が示され、それぞれの送信可否は、「○」、「○」、および「×」と示されている。
【０１８３】
設定ボタン６１３は、視聴者がリストボックス６１２の送信可否状態を変更した後、その変更を受信装置１０に反映させるために操作するボタンである。設定ボタン６１３が押された場合、視聴者情報送信可否フラグ記憶部１５ｆに、各項目の情報の送信可否を表す情報を記憶する。たとえば「○」の場合は「１」、「×」の場合は「０」を、情報毎に記憶する。図３５に示した情報送信可否設定画面６１０では、「視聴者識別情報」が「○」、「コンテンツ配信事業者識別情報」が「○」、および「選択ポップアップＩＤ」が「×」であるので、送信可否を表す情報として、「１１０」のようにリストボックス６１２に示された順序で連続して記憶する。
【０１８４】
キャンセルボタン６１４は、視聴者がリストボックス６１２の送信可否状態を変更した後、その変更を受信装置１０に反映することなく破棄するために操作するボタンである。設定ボタン６１３およびキャンセルボタン６１４の操作は、リモコン１００のキーによって操作されるが、マウスが使用可能であればマウスによって操作してもよい。
【０１８５】
受信装置１０は、視聴者情報を広告主サーバ３０に送信する際、たとえば図２６に示したステップＧ７で視聴者情報を送信する際、視聴者情報送信可否フラグ記憶部１５ｆに記憶された情報に基づいて、視聴者識別情報、コンテンツ配信事業者識別情報、および選択ポップアップＩＤの送信可否を判断し、送信可の情報のみを送信する。
【０１８６】
このように、送信手段たとえばネットワークインタフェース３１によって、送信元識別情報たとえばＲｅｆｅｒｅｒを送信する際、記憶手段たとえば視聴者情報ＤＢ３３ａに記憶された視聴者情報に含まれる視聴者識別情報、コンテンツ配信事業者識別情報、およびポップアップ識別情報のうち、送信可否指定手段たとえばリモコン１００によって指定された送信可否が可である情報が送信されるので、広告表示装置である受信装置１０から情報提供装置である広告主サーバ３０に送信される情報の送信可否を、視聴者情報に含まれる情報毎に指定することができる。したがって、ユーザは、広告主に開示したくない情報の送信を抑止することができる。
【０１８７】
図３６は、図１に示したサービスサーバ２０から配信されるポップアップデータの構造図の他の例を示す。このポップアップデータは、図４に示したポップアップデータに、視聴者情報要／不要フラグ２１８の項目を追加したものである。
【０１８８】
図４に示した項目と同じ項目、すなわち、ポップアップＩＤ２０１、コンテンツＩＤ２０２、広告主２０３、内容２０４、表示モード２０５、開始時間２０６、継続時間２０７、時間限定２０８、ポップアップ座標２０９、商品座標２１０、アクション２１１、表示アイコンＵＲＬ２１２、広告主ＵＲＬ２１３、ジャンプ先ＵＲＬ２１４、有効期限２１５、ジャンル２１６、および年齢２１７には、同じ参照符号を付しており、重複を避けるため説明は省略する。
【０１８９】
視聴者情報要／不要フラグ２１８は、サービスサーバ２０において、コンテンツ配信事業者が視聴者情報の送信の要否を視聴者情報に含まれる情報毎に指定するものである。視聴者情報要／不要フラグ２１８には、視聴者識別情報、コンテンツ配信事業者識別情報、および選択ポップアップＩＤの順にそれぞれの送信要否を示す数字が示されている。送信要の場合は「１」、送信不要の場合は「０」が示されるデータ構造となっている。図２６に示した視聴者情報要／不要フラグ２１８には、ポップアップＩＤ「２００００００１」およびポップアップＩＤ「２００００００２」について、それぞれ「１，１，１」および「１，１，０」と示されている。ポップアップＩＤ「２００００００１」については、視聴者識別情報、コンテンツ配信事業者識別情報、および選択ポップアップＩＤのすべてが送信要となっており、ポップアップＩＤ「２００００００２」については、視聴者識別情報およびコンテンツ配信事業者識別情報が送信要、ならびに選択ポップアップＩＤが送信不要となっている。
【０１９０】
受信装置１０は、視聴者情報を広告主サーバ３０に送信する際、たとえば図２６に示したステップＧ７で視聴者情報を送信する際、図２１に示したポップアップデータ記憶部１５ｂに記憶されたポップアップデータのうち、送信すべき視聴者情報に含まれる選択ポップアップＩＤが示すポップアップのポップアップデータに含まれる視聴者情報要／不要フラグ２１８に基づいて、送信すべき視聴者情報に含まれる視聴者識別情報、コンテンツ配信事業者識別情報、および選択ポップアップＩＤの送信可否の送信可否を判断し、送信可の情報のみを送信する。この場合、さらに情報送信可否設定画面６１０によって指定された送信可否によって、送信する情報を制限してもよい。
【０１９１】
このように、送信手段たとえばネットワークインタフェース３１によって、送信元識別情報たとえばＲｅｆｅｒｅｒが送信される際、記憶手段たとえば視聴者情報ＤＢ３３ａに記憶された視聴者情報に含まれる視聴者識別情報、コンテンツ配信事業者識別情報、およびポップアップ識別情報のうち、そのポップアップ識別情報が示すポップアップのポップアップ情報に含まれる送信要否情報たとえば視聴者情報要／不要フラグ２１８が送信要である情報が送信されるので、情報提供装置である広告主サーバ３０に送信される情報の送信要否を、視聴者情報に含まれる情報毎にかつポップアップ毎に、広告提供装置であるサービスサーバ２０で設定することができる。したがって、コンテンツ配信事業者は、広告主への提供を要しない情報の送信を抑止することができる。
【０１９２】
本発明の実施の他の形態である広告提供方法は、図７〜図９、図１９、図２０、および図２４に示したフローチャートによって、あるいは図７、図８、図１９、図２０、図２６、図３０、図３２、および図３４によって示される。
【０１９３】
このように、まず、コンテンツに応じた広告を表す広告情報たとえばポップアップ情報を提供する広告提供装置であるサービスサーバ２０から、コンテンツのポップアップ情報を受信し、コンテンツを広告表示装置である受信装置１０に出力する際、受信したポップアップ情報が示すポップアップを、出力されるコンテンツの予め定める出力時点に広告表示装置に表示する。次に表示されたポップアップに応答した操作があると、表示されたポップアップを送信する送信元を識別するための送信元識別情報を情報提供装置である広告主サーバ３０に送信し、さらに送信した送信元識別情報が示す送信元に応じて情報提供装置から送信される詳細情報を受信すると、受信した詳細情報を、出力されるコンテンツと非同期に広告表示装置に表示するので、コンテンツに関連する広告たとえばポップアップの詳細情報が要求されたとき、ポップアップの送信元に応じた詳細情報を提供することができる。したがって、広告主は、ポップアップの送信元に応じてたとえば送信元である広告提供装置によって提供するサービスを変えることができる。
【０１９４】
本発明の実施のさらに他の形態であるプログラムは、受信装置１０については、不揮発性メモリ１５のプログラム記憶部１５ａに記憶される受信プログラムおよびポップアップ表示プログラムを含むプログラムであって、受信装置１０のＣＰＵ１２によって実行されるプログラムである。プログラム記憶部１５ａに記憶される受信プログラムは、図７または図１９に示したフローチャートを、ポップアップ表示プログラムは、図９または図２６に示したフローチャートを実行するプログラムである。広告主サーバ３０については、不揮発性メモリ３３に記憶されるプログラムであり、図２４、または図３０および図３４に示したフローチャートを実行するプログラムである。サービスサーバ２０については、図８、図２０、および図３２に示したフローチャートを実行するプログラムである。
【０１９５】
上述した受信装置１０では、プログラムは不揮発性メモリ１５に記憶されているが、このプログラムは、着脱可能な記録媒体に記録しておいて、その記録媒体から不揮発性メモリ１５に読込んでもよいし、ネットワークに接続されている他のサーバの記憶装置などに記憶しておいて、その記憶装置からネットワークを介して読込んでもよい。あるいは、記録媒体あるいは記憶装置に記録されているプログラムを汎用のコンピュータにロードして、汎用のコンピュータによって機能させてもよい。サービスサーバ２０および広告主サーバ３０についても同様である。
【０１９６】
このように、コンピュータを上述した広告表示装置である受信装置１０の各手段として機能させるためのプログラムとして提供することができる。
【図面の簡単な説明】
【０１９７】
【図１】本発明の実施の一形態である広告提供システム１のブロック図である。
【図２】図１に示した受信装置１０のブロック図である。
【図３】図２に示した受信装置１０のリモコン１００の外観図である。
【図４】図１に示したサービスサーバ２０から配信されるポップアップデータの構造図の一例を示す。
【図５】図１に示したサービスサーバ２０から配信されるコンテンツ付属データの構造図の一例を示す。
【図６】図１に示したサービスサーバ２０で管理されるコンテンツ管理データの構造図の一例を示す。
【図７】図２に示した受信装置１０が処理するポップアップデータ取得フローチャートである。
【図８】図１に示したサービスサーバ２０が処理するポップアップデータ送出フローチャートである。
【図９】図２に示した受信装置１０が処理するポップアップの表示および広告主サイト接続フローチャートである。
【図１０】図２に示した表示パネル１７に表示されるポップアップが１つの場合のポップアップ表示画面の例を示す。
【図１１】図２に示した表示パネル１７に表示されるポップアップが複数の場合のポップアップ表示画面の例を示す。
【図１２】図２に示した表示パネル１７に表示されるポップアップ広告一覧画面４００の一例を示す。
【図１３】ポップアップ表示タイミングの一例を示す。
【図１４】図２に示した表示パネル１７に表示されるコンテンツリスト画面５００の一例を示す。
【図１５】図２に示した表示パネル１７に表示される購入確認画面５１０の一例を示す。
【図１６】図２に示した表示パネル１７に表示される設定画面５２０の一例を示す。
【図１７】図２に示した表示パネル１７に表示されるカード情報設定画面５３０の一例を示す。
【図１８】図２に示した表示パネル１７に表示されるネットワーク設定画面５４０の一例を示す。
【図１９】図２に示した受信装置１０が処理する他のポップアップデータ取得フローチャートである。
【図２０】図１に示したサービスサーバ２０が処理する他のポップアップデータ送出フローチャートである。
【０１９８】
【図２１】図１に示した受信装置１０の他のブロック図である。
【図２２】図１に示した広告主サーバ３０のブロック図である。
【図２３】図２２に示した広告主サーバ３０が用いるＷｅｂページのソース文の一例を示す。
【図２４】図２２に示した広告主サーバ３０が処理するＷｅｂページ送信処理フローチャートである。
【図２５】図２１に示した表示パネル１７に表示されるＷｅｂページ画面の例を示す。
【図２６】図２１に示した受信装置１０が処理するポップアップの表示および広告主サイト接続フローチャートである。
【図２７】図２１に示した視聴者情報記憶部１５ｅに記憶される視聴者情報２５０の一例を示す。
【図２８】図２１に示した表示パネル１７に表示されるユーザ情報設定画面６００を示す。
【図２９】図２２に示した視聴者情報ＤＢ３３ａのデータ構造図の一例を示す。
【図３０】図２２に示した広告主サーバ３０が処理するポップアップ情報およびコンテンツ付属情報受信処理フローチャートである。
【図３１】図２２に示した広告主サーバ３０が保持するコンテンツ配信事業者情報のデータ構造図の一例を示す。
【図３２】図１に示したサービスサーバ２０が処理するポップアップ情報およびコンテンツ付属情報送信処理フローチャートである。
【図３３】図２２に示したパターン情報記憶部３３ｄに記憶されるパターン情報のデータ構造図の一例を示す。
【図３４】図２２に示した広告主サーバ３０が処理する他のＷｅｂページ送信処理フローチャートである。
【図３５】図２１に示した表示パネル１７に表示される情報送信可否設定画面６１０を示す。
【図３６】図１に示したサービスサーバ２０から配信されるポップアップデータの構造図の他の例を示す。
【符号の説明】
【０１９９】
１  広告提供システム
１０  受信装置
１１，３１  ネットワークインタフェース
１２，３２  ＣＰＵ
１３  ビデオインタフェース
１４  ワークメモリ
１５，３３  不揮発性メモリ
１６  リモコン受信部
１７  表示パネル
２０  サービスサーバ
３０  広告主サーバ
４０  与信サーバ
５０  インターネット
１００  リモコン
【図１】
2007233865.tif 000003
【図２】
2007233865.tif 000004
【図３】
2007233865.tif 000005
【図４】
2007233865.tif 000006
【図５】
2007233865.tif 000007
【図６】
2007233865.tif 000008
【図７】
2007233865.tif 000009
【図８】
2007233865.tif 000010
【図９】
2007233865.tif 000011
【図１０】
2007233865.tif 000012
【図１１】
2007233865.tif 000013
【図１２】
2007233865.tif 000014
【図１３】
2007233865.tif 000015
【図１４】
2007233865.tif 000016
【図１５】
2007233865.tif 000017
【図１６】
2007233865.tif 000018
【図１７】
2007233865.tif 000019
【図１８】
2007233865.tif 000020
【図１９】
2007233865.tif 000021
【図２０】
2007233865.tif 000022
【図２１】
2007233865.tif 000023
【図２２】
2007233865.tif 000024
【図２３】
2007233865.tif 000025
【図２４】
2007233865.tif 000026
【図２５】
2007233865.tif 000027
【図２６】
2007233865.tif 000028
【図２７】
2007233865.tif 000029
【図２８】
2007233865.tif 000030
【図２９】
2007233865.tif 000031
【図３０】
2007233865.tif 000032
【図３１】
2007233865.tif 000033
【図３２】
2007233865.tif 000034
【図３３】
2007233865.tif 000035
【図３４】
2007233865.tif 000036
【図３５】
2007233865.tif 000037
【図３６】
2007233865.tif 000038